(57)【要約】      （修正有）【課題】光学読み取り装置が情報入力補助シートに対して傾いている場合にも、ドットパターンを読み取ることが可能であり、また、赤外線の反射パターンを除く、不必要な赤外線の反射光を吸収または減衰、あるいは波長領域を変更可能な情報入力補助シートを提供する。【解決手段】光学読み取り装置は、所定波長領域の赤外線を照射する赤外線照射手段と、少なくとも所定波長領域の赤外線を透過させ、かつ可視光を遮断するフィルターと、少なくとも所定波長領域の赤外線を撮像する撮像手段と、該撮像手段で撮像されたドットパターン画像をドットコードに復号化する復号化手段と、を備え、ドットパターンのドットは、透明シートに少なくとも所定波長領域における赤外線拡散特性または該赤外線拡散反射特性および可視光透過特性を有するインクで印刷される。【選択図】図１
2015087776.tif 000002
【特許請求の範囲】
【請求項１】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性および可視光透過特性を有するインクで印刷された、情報入力補助シート。
【請求項２】
前記赤外線照射手段から照射される前記所定波長領域の赤外線を吸収するとともに可視光を透過する赤外線吸収層が前記透明シートのドットパターン読み取り面の反対面に形成された、請求項１記載の情報入力補助シート。
【請求項３】
前記ドットパターンは前記透明シートのドットパターン読み取り面に形成され、該透明シートは前記赤外線吸収層を含む、請求項２記載の情報入力補助シート。
【請求項４】
前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、請求項１記載の情報入力補助シート。
【請求項５】
前記ドットパターンは前記透明シートのドットパターン読み取り面に形成され、該透明シートは前記光波長変換層を含む、請求項４記載の情報入力補助シート。
【請求項６】
前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔が前記透明シートのドットパターン読み取り面の反対面に形成された、請求項１記載の情報入力補助シート。
【請求項７】
前記ドットパターンは前記透明シートのドットパターン読み取り面に形成され、該透明シートは前記所定の厚みを有する透明体を兼ねる、請求項６記載の情報入力補助シート。
【請求項８】
前記光学読み取り装置は光量制御手段をさらに備え、
前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、請求項１記載の情報入力補助シート。
【請求項９】
前記透明シートのドットパターン読み取り面の反対面に少なくとも可視光を投影可能なスクリーンが貼付され、該ドットパターン形成面に向けてプロジェクタで画像が投影される、請求項１〜８のいずれか１項に記載の情報入力補助シート。
【請求項１０】
請求項１に記載の前記所定の媒体は印刷媒体またはディスプレイまたは透明媒体である、請求項１〜８のいずれか１項に記載の情報入力補助シート。
【請求項１１】
前記透明シートのドットパターン読み取り面に少なくとも可視光および赤外線を透過する保護層が形成された、請求項１〜１０のいずれか１項に記載の情報入力補助シート。
【請求項１２】
前記ドットパターンは、前記透明シートのドットパターン読み取り面の反対面に形成され、該透明シートを保護層として兼用する、請求項１〜５、７〜１０のいずれか１項に記載の情報入力補助シート。
【請求項１３】
前記ドットパターンには座標値または座標値およびコード値が符号化され、該座標値により前記光学読み取り装置によりドットパターンを読み取った位置が認識される、請求項１〜１２のいずれか１項に記載の情報入力補助シート。
【請求項１４】
前記光学読み取り装置で読み取った前記座標値または前記コード値の少なくとも一部に定義されたインデックスにより、分類または唯一に特定される、請求項１３記載の情報入力補助シート。
【請求項１５】
前記赤外線吸収層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項２に記載の情報入力補助シート。
【請求項１６】
前記光波長変換層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項４に記載の情報入力補助シート。
【請求項１７】
前記赤外線減衰層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項６に記載の情報入力補助シート。
【請求項１８】
前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、請求項１５〜１７のいずれか１項に記載の情報入力補助シート。
【請求項１９】
前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、請求項１５〜１７のいずれか１項に記載の情報入力補助シート。
【請求項２０】
前記透明シートのドットパターン読み取り面の反対面に、さらに反対面側のドットパターンが形成された情報入力補助シートであって、
前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、請求項３、５、７のいずれか１項に記載の情報入力補助シート。
【請求項２１】
前記反対面側のドットパターンは、請求項１に記載の第１のドットパターンと異なるドットコードが符号化された、請求項２０に記載の情報入力補助シート。
【請求項２２】
前記第１のドットパターンと前記反対面側のドットパターンとが形成されたそれぞれの面に、該ドットパターンを保護する保護層が形成された、請求項２０または請求項２１に記載の情報入力補助シート。
【請求項２３】
前記ドットパターンのドットは、波長が異なる複数種類の前記所定波長領域における赤外線拡散特性または該赤外線拡散反射特性および可視光透過特性を有するインクで印刷された、請求項１〜請求項２２のいずれか１項に記載の情報入力補助シート。
【請求項２４】
前記ドットパターンが形成される所定位置に、所定の規則に基づいて前記インクで印刷するドットが配置された、請求項２３に記載の情報入力補助シート。
【請求項２５】
前記照射手段は、前記波長が異なる複数種類の赤外線を照射し、
前記フィルターは、少なくとも前記波長が異なる複数種類の赤外線を透過させ、かつ可視光を遮断し、
前記撮像手段は、少なくとも前記波長が異なる複数種類の赤外線を撮像する、請求項２３または請求項２４のいずれかに記載の情報入力補助シート。
【請求項２６】
所定の媒体面上または該媒体面近傍に貼付または配置された請求項１〜２５のいずれか１項に記載の情報入力補助シートに接触または離反して、該情報入力補助シートに形成されたドットパターンを読み取る光学読み取り装置であって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性および可視光透過特性を有するインクで印刷された、ドットコード光学読み取り装置。
【請求項２７】
復号化された前記ドットコードまたは該ドットコードに対応する命令および／またはデータを情報処理装置に送信する送信手段を、さらに備えた、請求項２６記載の光学読み取り装置。
【請求項２８】
復号化された前記ドットコードまたは該ドットコードに対応する命令および／またはデータに対応する情報を出力する出力手段を、さらに備えた、請求項２６または請求項２７に記載の光学読み取り装置。
【請求項２９】
前記赤外線照射手段より照射し、前記ドットから反射され前記撮像手段で撮像された、ドットパターン画像の所定領域の赤外線の明度を測定し、該明度が所定範囲になるよう、該赤外線照射手段から照射する赤外線を制御する光量制御手段を、さらに備えた、請求項２６〜２８のいずれか１項に記載の光学読み取り装置。
【請求項３０】
前記赤外線照射手段により照射し、前記ドットから反射され前記撮像手段で撮像された、ドットパターン画像の所定領域の赤外線の明度を測定し、該明度が所定範囲になるよう、該ドットパターン画像のゲインを調整するゲイン調整手段を、さらに備えた、請求項２６〜２８のいずれか１項に記載の光学読み取り装置。
【請求項３１】
所定の媒体面上または該媒体面近傍に貼付または配置された請求項１〜１４のいずれかに記載の情報入力補助シートと、
前記情報入力補助シートに接触または離反して、該情報入力補助シートに形成されたドットパターンを読み取る請求項２６〜３０のいずれか１項に記載の光学読み取り装置と、からなる、ドットコード情報処理システム。
【請求項３２】
請求項２７に記載の出力手段で送信される復号化された前記ドットコードまたは該ドットコードに対応する命令および／またはデータを受信して、対応する処理を行う情報処理装置をさらに加えた、請求項３１に記載のドットコード情報処理システム。
【請求項３３】
ディスプレイの表示画面上に配置される請求項１〜２５のいずれか１項に記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、
前記光学読み取り装置は、前記情報処理装置に接続されており、
前記情報処理装置は、前記ディスプレイの２以上の隅角部および／または中央に、キャリブレーション用マークを少なくとも一時的に表示させ、
前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
【請求項３４】
印刷媒体の印刷面上に配置して使用される、請求項１〜２５のいずれか１項に記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、
前記光学読み取り装置は、前記情報処理装置に接続されており、
前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、
前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。
【発明の詳細な説明】
【技術分野】
【０００１】
この発明は、情報入力補助シート、情報入力補助シートを用いたドットコード光学読み取り装置、ドットコード情報処理システムおよびキャリブレーション方法に関する。
【背景技術】
【０００２】
従来、透明基板の表面に赤外線反射性の透明パターンが印刷されてなり、画像表示可能なディスプレイ装置の表面または前方に装着される透明シートが知られている（特許文献１の段落番号「０００８」及び図１〜３参照）。
上記した従来の透明パターンは、赤外線の照射及び検知が可能な入力端末を用いて赤外線の反射パターンを読み取ることで、透明シート上における入力端末の位置に関する情報を取得していた（特許文献１の段落番号「０００８」及び図１〜３参照）。
【先行技術文献】
【特許文献】
【０００３】
【特許文献１】特許第４７２５４１７号公報
【発明の概要】
【発明が解決しようとする課題】
【０００４】
しかし、上記した従来の透明シートでは、透明シートに対して入力端末が傾いていると、ドットパターンで反射された反射光が入力端末において検知できないおそれがあった。
また、上記した従来の透明シートでは、入力端末から照射された赤外線が、液晶基板の内部や表面、或いはディスプレイ装置の表面等に反射し、当該反射光が入力端末に戻って検知されてしまうという問題点があった。
すなわち、入力端末では、ドットパターンにより反射された赤外線の反射パターンと、液晶基板の内部や表面、或いはディスプレイ装置の表面等に反射して戻ってきた反射光が検知され、反射パターンからの情報の読み取りを困難にしていた。
本発明はこのような点に鑑みてなされたものであり、光学読み取り装置が情報入力補助シートに対して傾いている場合にも、ドットパターンを読み取ることが可能な情報入力補助シートを提供することを技術的課題とする。
また、本発明は、赤外線の反射パターンを除く、不必要な赤外線の反射光を吸収または減衰、あるいは波長領域を変更可能な情報入力補助シートを提供することを技術的課題とする。
【課題を解決するための手段】
【０００５】
（１）上記課題を解決するために、情報入力補助シートは、少なくとも可視光および赤外線を透過する透明シートに、光学読み取り装置で接触または離反して読み取られるドットパターンが形成され、所定の媒体面上または該媒体面近傍に貼付または配置される情報入力補助シートであって、  前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散特性または該赤外線拡散反射特性および可視光透過特性を有するインクで印刷された、ことを特徴とする。
（２）さらに、情報入力補助シートは、前記赤外線照射手段から照射される前記所定波長領域の赤外線を吸収するとともに可視光を透過する赤外線吸収層が前記透明シートのドットパターン読み取り面の反対面に形成された、ことを特徴とする。
（３）さらに、情報入力補助シートは、前記ドットパターンは前記透明シートのドットパターン読み取り面に形成され、該透明シートは前記赤外線吸収層を含む、ことを特徴とする。
（４）さらに、情報入力補助シートは、前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、ことを特徴とする。
（５）さらに、情報入力補助シートは、前記ドットパターンが前記透明シートのドットパターン読み取り面に形成され、該透明シートは前記光波長変換層を含む、ことを特徴とする。
（６）さらに、情報入力補助シートは、前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔が前記透明シートのドットパターン読み取り面の反対面に形成された、ことを特徴とする。
（７）さらに、情報入力補助シートは、前記ドットパターンが前記透明シートのドットパターン読み取り面に形成され、該透明シートは前記所定の厚みを有する透明体を兼ねる、ことを特徴とする。
（８）さらに、情報入力補助シートは、前記光学読み取り装置は光量制御手段をさらに備え、前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、ことを特徴とする。
（９）さらに、情報入力補助シートは、前記透明シートのドットパターン読み取り面の反対面に少なくとも可視光を投影可能なスクリーンが貼付され、該ドットパターン形成面に向けてプロジェクタで画像が投影される、ことを特徴とする。
（１０）さらに、情報入力補助シートは、前述した前記所定の媒体が印刷媒体またはディスプレイまたは透明媒体である、ことを特徴とする。
（１１）さらに、情報入力補助シートは、前記透明シートのドットパターン読み取り面に少なくとも可視光および赤外線を透過する保護層が形成された、ことを特徴とする。
（１２）さらに、情報入力補助シートは、前記ドットパターンが、前記透明シートのドットパターン読み取り面の反対面に形成され、該透明シートを保護層として兼用する、ことを特徴とする。
（１３）さらに、情報入力補助シートは、前記ドットパターンに座標値または座標値およびコード値が符号化され、該座標値により前記光学読み取り装置によりドットパターンを読み取った位置が認識される、ことを特徴とする。
（１４）さらに、情報入力補助シートは、前記光学読み取り装置で読み取った前記座標値または前記コード値の少なくとも一部に定義されたインデックスにより、分類または唯一に特定される、ことを特徴とする。
（１５）さらに、情報入力補助シートは、前記赤外線吸収層が形成された面に、さらに第２のドットパターンが形成された第２の透明シートが貼付された情報入力補助シートであって、  前記第２の透明シートをドットパターン読み取り面にして、所定の媒体面上または該媒体面近傍に貼付または配置し、前記光学読み取り装置で接触または離反して前記第２のドットパターンが読み取られる、ことを特徴とする。
（１６）さらに、情報入力補助シートは、前記光波長変換層が形成された面に、さらに第２のドットパターンが形成された第２の透明シートが貼付された情報入力補助シートであって、  前記第２の透明シートをドットパターン読み取り面にして、所定の媒体面上または該媒体面近傍に貼付または配置し、前記光学読み取り装置で接触または離反して前記第２のドットパターンが読み取られる、ことを特徴とする。
（１７）さらに、情報入力補助シートは、前記赤外線減衰層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、ことを特徴とする。
（１８）さらに、情報入力補助シートは、前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、ことを特徴とする。
（１９）さらに、情報入力補助シートは、前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、ことを特徴とする。
（２０）さらに、情報入力補助シートは、前記透明シートのドットパターン読み取り面の反対面に、さらに反対面側のドットパターンが形成された情報入力補助シートであって、前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、ことを特徴とする。
（２１）さらに、情報入力補助シートは、前記反対面側のドットパターンが、前述した第１のドットパターンと異なるドットコードが符号化された、ことを特徴とする。
（２２）さらに、情報入力補助シートは、前記第１のドットパターンと前記反対面側のドットパターンとが形成されたそれぞれの面に、該ドットパターンを保護する保護層が形成された、ことを特徴とする。
（２３）さらに、情報入力補助シートは、前記ドットパターンのドットが、波長が異なる複数種類の前記所定波長領域における赤外線拡散特性または該赤外線拡散反射特性および可視光透過特性を有するインクで印刷された、ことを特徴とする。
（２４）さらに、情報入力補助シートは、前記ドットパターンが形成される所定位置に、所定の規則に基づいて前記インクで印刷するドットが配置された、ことを特徴とする。
（２５）情報入力補助シートは、前記照射手段が、前記波長が異なる複数種類の赤外線を照射し、前記フィルターは、少なくとも前記波長が異なる複数種類の赤外線を透過させ、かつ可視光を遮断し、前記撮像手段は、少なくとも前記波長が異なる複数種類の赤外線を撮像する、ことを特徴とする。
（２６）一方、光学読み取り装置は、所定の媒体面上または該媒体面近傍に貼付または配置された前述した情報入力補助シートに接触または離反して、該情報入力補助シートに形成されたドットパターンを読み取る光学読み取り装置であって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散特性または該赤外線拡散反射特性および可視光透過特性を有するインクで印刷された、ことを特徴とする。
（２７）さらに、光学読み取り装置は、復号化された前記ドットコードまたは該ドットコードに対応する命令および／またはデータを情報処理装置に送信する送信手段を、さらに備えた、ことを特徴とする。
（２８）さらに、光学読み取り装置は、復号化された前記ドットコードまたは該ドットコードに対応する命令および／またはデータに対応する情報を出力する出力手段を、さらに備えた、ことを特徴とする。
（２９）さらに、光学読み取り装置は、前記赤外線照射手段より照射し、前記ドットから反射され前記撮像手段で撮像された、ドットパターン画像の所定領域の赤外線の明度を測定し、該明度が所定範囲になるよう、該赤外線照射手段から照射する赤外線を制御する光量制御手段を、さらに備えた、ことを特徴とする。
（３０）さらに、光学読み取り装置は、前記赤外線照射手段により照射し、前記ドットから反射され前記撮像手段で撮像された、ドットパターン画像の所定領域の赤外線の明度を測定し、該明度が所定範囲になるよう、該ドットパターン画像のゲインを調整するゲイン調整手段を、さらに備えた、ことを特徴とする。
（３１）一方、ドットコード情報処理システムは、所定の媒体面上または該媒体面近傍に貼付または配置された前述した情報入力補助シートと、前記情報入力補助シートに接触または離反して、該情報入力補助シートに形成されたドットパターンを読み取る前述した光学読み取り装置と、からなる、ことを特徴とする。
（３２）さらに、ドットコード情報処理システムは、前述した出力手段で送信される復号化された前記ドットコードまたは該ドットコードに対応する命令および／またはデータを受信して、対応する処理を行う情報処理装置をさらに加えた、ことを特徴とする。
（３３）一方、キャリブレーション方法は、ディスプレイの表示画面上に配置される前述した情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、前記光学読み取り装置は、前記情報処理装置に接続されており、前記情報処理装置は、前記ディスプレイの２以上の隅角部および／または中央に、キャリブレーション用マークを少なくとも一時的に表示させ、  前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記ディスプレイの座標値に変換して入力する、ことを特徴とする。
（３４）また、キャリブレーション方法は、印刷媒体の印刷面上に配置して使用される、前述した情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、前記光学読み取り装置は、前記情報処理装置に接続されており、前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記印刷媒体の座標値に変換して入力する、ことを特徴とする。
【発明の効果】
【０００６】
本発明によれば、光学読み取り装置が情報入力補助シートに対して傾いている場合にも、ドットパターンを読み取ることが可能な情報入力補助シートを提供できる。
また、本発明によれば、赤外線の反射パターンを除く、不必要な赤外線の反射光を吸収または減衰、あるいは波長領域を変更可能な情報入力補助シートを提供できる。
【図面の簡単な説明】
【０００７】
【図１】情報入力補助シートの動作原理を説明するための概略断面図であり、同図（ａ）は媒体としてディスプレイを用いたもので、同図（ｂ）は媒体として透明媒体を用いたもので、同図（ｃ）は媒体として印刷媒体を用いたものをそれぞれ示すものである。
【図２】情報処理装置の一例を説明するための正面図である。
【図３】光学読み取り装置の内部構造を説明するための概略断面図である。
【図４】情報処理装置を説明するためのブロック図であり、同図（ａ）は光学読み取り装置に配置した例、同図（ｂ）は一部の手段をＰＣ側に配置した例である。
【図５】ドットを説明するための説明図であり、同図（ａ）は読み取った画像の写真であり、同図（ｂ）は白黒反転させて２値化した画像の写真、同図（ｃ）は座標値テーブルを示す表をそれぞれ示すものである。
【図６】本発明の第２の実施形態を説明するための概略断面図であり、同図（ａ）は保護層を設けたもので、同図（ｂ）は保護層兼用の透明シートを用いたものをそれぞれ示すものである。
【図７】本発明の第３の実施形態を説明するための概略断面図であり、同図（ａ）および（ｂ）は媒体としてディスプレイを用いたもので、同図（ｃ）および（ｄ）は媒体として印刷媒体を用いたものをそれぞれ示すものである。同図（ａ）および（ｃ）は赤外線吸収層兼用の保護シートを用いたもので、同図（ｂ）および（ｄ）は保護層兼用の透明シートを用いたものをそれぞれ示すものである。
【図８】本発明の第４の実施形態を説明するための概略断面図であり、同図（ａ）および（ｂ）は媒体として印刷媒体を用いたものあり、同図（ａ）は光波長変換層兼用の保護シートを用いたもので、同図（ｂ）は保護層兼用の透明シートを用いたものをそれぞれ示すものである。
【図９】本発明の第５の実施形態を説明するための概略断面図であり、同図（ａ）および（ｂ）は媒体として印刷媒体を用いたものあり、同図（ａ）は赤外線減衰層兼用の保護シートを用いたもので、同図（ｂ）は保護層兼用の透明シートを用いたものをそれぞれ示すものである。
【図１０】本発明の第６の実施形態を説明するための概略断面図であり、同図（ａ）〜（ｂ）は媒体として印刷媒体を用いたものあり、同図（ａ）は保護層兼用かつ赤外線吸収層を兼ねた保護シートの表裏面にドットパターンを印刷したもので、同図（ｂ）は光波長変換層兼用の透明シートを用いたもので、同図（ｃ）は赤外線減衰層を兼ねた透明シートを用いたものをそれぞれ示すものである。
【図１１】情報ドットの実施の形態を説明するためのものあり、同図（ａ）は第１の例、同図（ｂ）は第２の例、同図（ｃ）は第３の例、同図（ｄ）は第４の例、同図（ｅ）は第５の例をそれぞれ示すものである。
【図１２】ドットコード割り当てフォーマットの実施の形態を説明するためのものであり、同図（ａ）は第１の例、同図（ｂ）は第２の例、同図（ｃ）は第３の例をそれぞれ示すものである。
【図１３】ドットパターンの第１の例（「ＧＲＩＤ０」）の実施の形態を説明するためのものであり、図１３（ａ）は第１の汎用例、同図（ｂ）は第２の汎用例、同図（ｃ）は第３の汎用例をそれぞれ示すものである。
【図１４】図１３に対応し、ドットパターン（ＧＲＩＤ０）の変形例を説明するためのものであり、同図（ａ）は第１の変形例、同図（ｂ）は第２の変形例、同図（ｃ）は第３の変形例をそれぞれ示すものである。
【図１５】ドットパターン（ＧＲＩＤ０）の変形例を説明するためのものであり、同図（ａ）は第４の変形例であり、同時にドットパターンの第２の例（「ＧＲＩＤ１」）の実施の形態を説明するためのものであり、同図（ｂ）は第５の変形例、同図（ｃ）は第６の変形例をそれぞれ示すものである。
【図１６】ドットパターン（ＧＲＩＤ０、１）の連結例ないし連接例を説明するためのものであり、同図（ａ）はドットパターン（ＧＲＩＤ０、１）の連結例、同図（ｂ）はドットパターン（ＧＲＩＤ０）の第１の連接例をそれぞれ示すものである。
【図１７】図１６に続き、同図はドットパターン（ＧＲＩＤ０）の第２の連接例を示すものである。
【図１８】ドットパターン（ＧＲＩＤ１）の配置が変更した場合の中心の求め方を説明するための説明図である。
【図１９】図１６〜１８はドットパターンの第３の例（「ＧＲＩＤ５」の実施の形態を説明するためのものであり、図１３（ａ）は第１の汎用例、同図（ｂ）は第２の汎用例、同図（ｃ）は第３の汎用例をそれぞれ示すものである。
【図２０】ドットパターン（ＧＲＩＤ５の特殊な例「ディレクションドット」）の変形例を説明するためのものであり、同図（ａ）は第１の変形例、同図（ｂ）は第２の変形例、同図（ｃ）は第３の変形例をそれぞれ示すものである。
【図２１】ドットパターン（ディレクションドット）の変形例を説明するためのものであり、同図（ａ）は第４の変形例、同図（ｂ）は第５の変形例をそれぞれ示すものである。
【図２２】ドットパターン（ディレクションドット）の変形例を説明するためのものであり、同図（ａ）は第６の変形例、同図（ｂ）は第７の変形例をそれぞれ示すものである。
【図２３】ドットパターン（ＧＲＩＤ５）の変形例を説明するためのものであり、同図（ａ）は第８の変形例、同図（ｂ）は第９の変形例をそれぞれ示すものである。
【図２４】ドットパターンの読み取りを説明するためのものであり、同図（ａ）は第１の読み取り例、同図（ｂ）は第２の読み取り例をそれぞれ示すものである。
【図２５】図２４に続き、ドットパターンの読み取りを説明するためのものであり、同図は第３の読み取り例を示すものである。
【図２６】ドットパターンの第４の例（「ＧＲＩＤ６」）の実施の形態を説明するための説明図である。
【図２７】ドットパターン（ＧＲＩＤ６）説明図である。
【図２８】ドットパターン（ＧＲＩＤ６）説明図である。
【図２９】ドットパターン（ＧＲＩＤ６）説明図である。
【図３０】ドットパターン（ＧＲＩＤ６）説明図である。
【図３１】ドットパターン（ＧＲＩＤ６）説明図である。
【図３２】ドットパターン（ＧＲＩＤ６）説明図である。
【図３３】ドットパターン（ＧＲＩＤ６）説明図である。
【図３４】ドットパターン（ＧＲＩＤ６）説明図である。
【図３５】ドットパターン（ＧＲＩＤ６）説明図である。
【図３６】ドットパターン（ＧＲＩＤ６）説明図である。
【図３７】ドットパターン（ＧＲＩＤ６）説明図である。
【図３８】ドットパターン（ＧＲＩＤ６）説明図である。
【図３９】ドットパターン（ＧＲＩＤ６）説明図である。
【図４０】ドットパターン（ＧＲＩＤ６）説明図である。
【図４１】ドットパターン（ＧＲＩＤ６）説明図である。
【図４２】ドットパターン（ＧＲＩＤ６）説明図である。
【図４３】ドットパターン（ＧＲＩＤ６）説明図である。
【図４４】ドットパターン（ＧＲＩＤ６）説明図である。
【図４５】ドットパターン（ＧＲＩＤ６）説明図である。
【図４６】ドットパターン（ＧＲＩＤ６）説明図である。
【図４７】ドットパターン（ＧＲＩＤ６）説明図である。
【図４８】ドットパターン（ＧＲＩＤ６）説明図である。
【図４９】ドットパターン（ＧＲＩＤ６）説明図である。
【図５０】ドットパターン（ＧＲＩＤ６）説明図である。
【図５１】ドットパターン（ＧＲＩＤ６）説明図である。
【図５２】ドットパターン（ＧＲＩＤ６）説明図である。
【図５３】ドットパターン（ＧＲＩＤ６）説明図である。
【図５４】ドットパターン（ＧＲＩＤ６）説明図である。
【図５５】ドットパターン（ＧＲＩＤ６）説明図である。
【図５６】ドットパターン（ＧＲＩＤ６）説明図である。
【図５７】ドットパターン（ＧＲＩＤ６）説明図である。
【図５８】ドットパターン（ＧＲＩＤ６）説明図である。
【図５９】ドットパターン（ＧＲＩＤ６）説明図である。
【図６０】ドットパターン（ＧＲＩＤ６）説明図である。
【図６１】キャリブレーション方法を説明するためのものであり、同図はディスプレイに対するキャリブレーション方法およびキャリブレーションに用いる情報入力補助シート（グリッドシート）についての説明図である。
【図６２】ディスプレイに対するキャリブレーション方法の他の実施例に係る説明図である。
【図６３】印刷媒体（印刷物）に対するキャリブレーション方法およびキャリブレーションに用いる情報入力補助シート（グリッドシート）についての説明図である。
【図６４】印刷媒体（印刷物）に対するキャリブレーション方法の他の実施例に係る説明図である。
【図６５】キャリブレーションマークが１個の場合の、ディスプレイに対するキャリブレーション方法の実施例に係る説明図である。
【図６６】キャリブレーションマークが２個の場合の、印刷媒体（印刷物）に対するキャリブレーション方法の実施例に係る説明図である。
【発明を実施するための形態】
【０００８】
＜図１〜５を用いた第１の実施の形態の説明＞
以下、本発明の第１の実施の形態について、図１〜５を参照しながら説明する。
図１中、１０は情報入力補助シートである。情報入力補助シート１０は、図１（ａ）および図２に示すように、ディスプレイ装置のディスプレイ２１の媒体２０の所定の媒体面上または該媒体面近傍に貼付または配置される。情報入力補助シート１０に印刷されたドットパターン３０を構成するドット３１は、タッチペン等の光学読み取り装置４０で接触または離反して読み取られる。
なお、媒体２０として、ディスプレイ２１を例示したが、媒体２０は図１（ｂ）に示すように、透明媒体２２であってもよいし、同図（ｃ）に示すように、印刷媒体２３であってもよい。また、ドットパターン３０については、図１１〜６０を用いて後述する。
光学読み取り装置４０は、ＵＳＢケーブル等を介して有線で、あるいは無線で、パーソナルコンピュータ５０（以下、「ＰＣ」という。）やＳＴＢ、スマートフォン、ゲーム機などの情報処理装置に接続されている。
【０００９】
＜図３の光学読み取り装置４０＞
光学読み取り装置４０は、図３および図４に示すように、次の構成を備える。
（１）赤外線照射手段４１
赤外線照射手段４１は、定波長領域の赤外線を照射するものであり、例えばＩＲ−ＬＥＤを使用している。定波長領域の赤外線は、単一の波長でもよいし、所定の領域の複数の波長でもよい。なお、赤外線照射手段４１は1個でもよいし、複数でもよい。さらに、赤外線照射手段４１と撮影口の間に光を均一に照射するためにディフューザを設けているが、赤外線照射手段４１を撮影口に近づけて配置し、開口部の周辺から照射すれば、ディフューザを設けなくてもよい。また、ＩＲ−ＬＥＤの周囲のカバーがディフューザを兼用する材料で形成してもよい。
（２）フィルター４２
フィルター４２は、少なくとも赤外線照射手段４１から照射された所定波長領域の赤外線を透過させ、かつ可視光を遮断するものであり、例えばＩＲフィルターを使用している。
さらに、フィルター４２と情報入力補助シート１０との間には、レンズを配置している。なお、ピンホールを設けてレンズの代わりとしてもよい。
（３）撮像手段４３（Ｃ−ＭＯＳセンサー）
撮像手段４３は、少なくとも赤外線照射手段４１から照射された所定波長領域の赤外線を撮像するものであり、例えばＣ−ＭＯＳセンサーを使用している。
（４）情報処理装置６０（復号化手段６１）
情報処理装置６０については、後述するが、図４に示すように、図３の撮像手段４３で撮像されたドットパターン画像をドットコードに復号化する復号化手段６１を含むものである。なお、外部の復号化手段６１を備えた情報処理装置にドットパターン画像を送信して、ドットコードに復号化してもよい。
なお、光学読み取り装置４０の構成は、上記した（１）〜（４）に限定されない。例えば、照射手段４１は、波長が異なる複数種類の赤外線を照射できるようにしてセキュリティ分野で使用できるようにしてもよい。また、フィルター４２も、少なくとも波長が異なる複数種類の赤外線を透過させ、かつ可視光を遮断できるようにしてもよい。さらに、撮像手段４３は、少なくとも波長が異なる複数種類の赤外線を撮像することができるようにしてもよい。なお、フィルター４２で可視光が遮断されるため、光学読み取り装置４０は可視光も含む画像を撮像できてもよい。
【００１０】
＜図１の情報入力補助シート１０＞
情報入力補助シート１０は、図１に示すように、次の構成を備える。
（１）透明シート
透明シートは、少なくとも可視光および赤外線を透過するものである。
（２）ドットパターン３０（ドット３１）
ドットパターン３０は、透明シートに形成され、光学読み取り装置４０で接触または離反して読み取られるものである。
ドットパターン３０については、図１１〜２２を用いて後述するが、ドット３１から構成されている。
ドット３１は、透明シートに少なくとも赤外線照射手段４１から照射された所定波長領域における赤外線拡散特性または該赤外線拡散反射特性および可視光透過特性（透明インク）を有するインクで印刷されている。ドット３１は、透明インクであることが最も望ましいがコストが高い。そこで、ドットサイズをできるだけ小さくすれば目立たなくなる。現行の一般的な印刷機の精度（６００dpi〜１２００dpi程度）よび撮影解像度（１６０pixel〜２４０pixel程度）を考慮して、具体的にはドットが印刷された状態で０．０３〜０．０６mm程度の径にすれば、殆ど目立たない。なお、透明シートをディスプレイ２１に貼付する場合では、後方から強い光が発光されるため、ドット印刷に使用するインクの色も白や明度の高い色にすれば、さらに目立たなくなる。
ドット３１の印刷面は、透明シートのドットパターン読み取り面側、すなわち図１において向かって右側に位置する。なお、透明シートを保護層として兼用する場合は、透明シートのドットパターン読み取り面の反対側をドット３１の印刷面としてもよい。その際は、ドットパターンを左右反転させて印刷する。
【００１１】
＜図１（ａ）のディスプレイ２１の例＞
透明シートは、図１（ａ）に示すように、媒体２０の一例であるディスプレイ２１の所定の媒体面、例えば表示面上または該媒体面近傍に貼付または配置される。
なお、ディスプレイ２１として、図２に示すように、ＰＣ５０用のディスプレイ装置を例示したが、これに限定されず、ノート型ＰＣ、タブレット型ＰＣ、ＴＶ、携帯電話、スマートフォン、各種の電子機器のディスプレイやタッチスクリーン（タッチパネル）でもよい。
光学読み取り装置４０は、透明シートのドットパターン読み取り面側、すなわち図１（ａ）において向かって右側に接触または離反してドットパターンを読み取る。
光学読み取り装置４０の赤外線照射手段４１から照射された所定波長領域の赤外線は、ドット３１に当たると、拡散反射され、その一部の反射光がフィルター４２を通過後、撮像手段４３に入射し、撮像される。
ドット３１に当たらない所定波長領域の赤外線は、透明シートを通過後、表示面または内部の構造物に当たり、一部が反射され、再度、透明シートを通過後、透明シートのドットパターン読み取り面側、すなわち図１において向かって右側に戻ってくるため、ドットを読み取れないことがある。このとき、透明シートを二度通過した反射光は、ドット３１により直接反射された反射光と区別できる程度に、減衰されていればドットコードを読み取れる。
なお、透明シートを二度通過した赤外線は、透明シートを通過後、ドット３１の裏面、すなわち図１（ａ）において向かって左側の面に当たる場合もある。ドット３１の裏面に当たると、再度、拡散反射され、透明シートを三度、通過し、又、表示面に再度、当たり、再度、反射され、これらを繰り返すことで次第に、減衰され、消滅する場合もある。
また、表示面に当った所定波長領域の赤外線の一部または全部は、表示面から内部に進む。内部に進んだ所定波長領域の赤外線の一部は、内部で吸収ないしは減衰されるが、一部は反射される場合もある。表示面に赤外線反射層を設けている場合は、赤外線は内部に入射しない。
【００１２】
＜図１（ｂ）の透明媒体２２の例＞
透明シートは、図１（ｂ）に示すように、媒体２０の一例である透明媒体２２の媒体面、例えば表裏面の一方の面上または該媒体面近傍に貼付または配置される。
透明媒体２２は、例えばガラスや透過スクリーン等がある。使用例としては、透明媒体を通して見えるショールームの陳列品や景色の所望の個所のドットパターンを読み取り、陳列品や景色の関連する情報を提供するシステム等がある。なお、屋外に本システムを設置するような場合、ドットパターンの読み取り面の反対面から太陽光による赤外線が光学読み取り装置４０に入射しドットを識別できなくなる。そこで、当該反対面に後述する図７のように赤外線吸収層を設けるか、赤外線吸収シートを貼付などして、太陽光による赤外線の光学読み取り装置４０への入射を防ぐ必要がある。
また、光学読み取り装置４０で接触または離反して描くように操作して、文字や絵を描いてもよい。  なお、透明媒体２２として、ガラスや透過スクリーンを例示したが、これらに限定されない。赤外線透過特性を有するインクでグラフィックや色・模様が印刷された透明媒体を使用してもよい。
光学読み取り装置４０の赤外線照射手段４１から照射された所定波長領域の赤外線は、ドット３１に当たり拡散反射され、撮像手段４３により撮像される。
ドット３１に当たらない所定波長領域の赤外線は、透明シートを通過後、透明媒体２２を透過し逸散する。
【００１３】
＜図１（ｃ）の印刷媒体２３の例＞
透明シートは、図１（ｃ）に示すように、媒体２０の一例である印刷媒体２３の媒体面、例えば表面上または該媒体面近傍に貼付または配置される。
印刷媒体２３は、例えば紙、本、雑誌、新聞、カタログ、写真、カード、シール、ポスター等がある。
光学読み取り装置４０の赤外線照射手段４１から照射された所定波長領域の赤外線は、ドット３１に当たり拡散反射され、撮像手段４３により撮像される。
ドット３１に当たらない所定波長領域の赤外線は、透明シートを通過後、印刷媒体２３の表面に当たり、反射され、再度、透明シートを通過後、透明シートのドットパターン読み取り面側、すなわち図１において向かって右側に戻ってくるため、ドットを正確に読み取ることができない。このとき、透明シートを二度通過した反射光は、ドット３１により直接反射された反射光と区別できる程度に、減衰されていればドットコードを読み取れる。
【００１４】
＜図５の説明＞
図５は、ドット３１を説明するための説明図であり、同図（ａ）は読み取った２５６諧調画像の写真であり、同図（ｂ）は白黒反転させて２値化した画像の写真をそれぞれ示すものである。２値化は白黒反転する前に実施して、その後白黒反転させてもよい。同図（c）は、２値化画像からドットの中心座標値を求め、各中心座標値をテーブルにしたものである。このテーブルを元に復号化手段で情報（コード値）に復号化する。
【００１５】
＜第２の実施の形態、図６、保護層１００有り、吸収層等無し＞
つぎに、図６を用いて本発明の第２の実施の形態について説明する。
本実施の形態は、先に図１を用いて説明した第１実施の形態に、図６（ａ）に示すように、保護層１００を追加した点を特徴とするものである。
保護層１００は、少なくとも可視光および赤外線を透過するものであり、図６（ａ）に示すように、透明シート７０のドットパターン読み取り面、すなわち同図中、向かって右側に形成されている。
ドット３１は、透明シートのドットパターン読み取り側の面に印刷されている。
図３の赤外線照射手段４１から照射される所定波長領域の赤外線は、図６（ａ）に示すように、保護層１００を通過後、ドット３１に当たり反射され、再度、保護層１００を通過後、図３の撮像手段４３により撮像される。
図６（ａ）においては、媒体２０の一例であるディスプレイ２１を例示したが、媒体２０は、ディスプレイ２１に限定されず、図１（ｂ）に示すように、透明媒体２２であってもよいし、同図（ｃ）に示すように、印刷媒体２３であってもよい。
図６（ｂ）は、図６（ａ）の保護層１００を省略し、保護層兼用透明シート１１０を採用したものである。
保護層兼用透明シート１１０は、そのドットパターン読み取り面の反対面、すなわち図６（ｂ）において向かって左側の面に、ドットパターン３０が左右反転して形成されたものであり、透明シートを保護層と兼用させるものである。
図３の赤外線照射手段４１から照射される所定波長領域の赤外線は、図６（ｂ）に示すように、保護層兼用透明シート１１０を通過後、ドット３１に当たり反射され、再度、保護層兼用透明シート１１０を通過後、図３の撮像手段４３により撮像される。
なお、本実施の形態の説明において、媒体２０として、ディスプレイ２１を例示したが、媒体２０は前述の図１（ｂ）に示すように、透明媒体２２であってもよいし、前述の同図（ｃ）に示すように、印刷媒体２３であってもよい。
【００１６】
＜第３の実施の形態、図７、赤外線吸収層２１０＞
つぎに、図７を用いて本発明の第３の実施の形態について説明する。
本実施の特徴は、先に図１を用いて説明した第１実施の形態に、図７（ｂ）および（ｄ）に示すように、赤外線吸収層２１０を追加した点を特徴とするものである。
赤外線吸収層２１０は、図３の赤外線照射手段４１から照射される所定波長領域の赤外線を吸収するとともに可視光を透過するものである。
赤外線吸収層２１０は、図７（ｂ）および（ｄ）に示すように、単独で形成してもよいし、あるいは同図（ａ）および（ｃ）に示すように、透明シートに赤外線吸収層を含み、透明シートを赤外線吸収層と兼用させ、赤外線吸収層兼用透明シート２００としてもよい。
赤外線吸収層兼用透明シート２００には、図７（ａ）に示すように、ドットパターン読み取り側の面に、ドットパターン３０が形成されている。さらに、ドットパターン３０の外側には、保護層１００が形成されている。
図３の赤外線照射手段４１から照射される所定波長領域の赤外線は、図７（ａ）に示すように、保護層１００を通過後、ドット３１に当たり反射され、再度、保護層１００を通過後、図３の撮像手段４３により撮像される。
ドット３１に当たらない所定波長領域の赤外線は、赤外線吸収層兼用透明シート２００を通過する。通過時に、所定波長領域の赤外線は、赤外線吸収層兼用透明シート２００により一次的に吸収される。なお、赤外線吸収率を高く設定した場合には、一次吸収により赤外線を全て吸収させることも可能である。
一次吸収された残りの赤外線は、赤外線吸収層兼用透明シート２００を通過後、媒体２０の一例である印刷媒体２３の表示面または内部の構造物に当たり、一部が反射され、再度、赤外線吸収層兼用透明シート２００を通過する。二度目の通過時、一次吸収され、反射された残り赤外線は、赤外線吸収層兼用透明シート２００により二次的に吸収される。二次吸収された赤外線は、ドット３１により直接反射された反射光と区別できる程度に、減衰されている。なお、赤外線の吸収率を高く設定した場合には、一次・二次吸収により赤外線を全て吸収させることも可能である。
なお、図７（ａ）に示す実施の形態の説明において、媒体２０として、ディスプレイ２１を例示したが、同図（ｃ）に示すように、印刷媒体２３であってもよいし、図示しないが、透明媒体であってもよい。
つぎに、図７（ｂ）を用いて、変形例について説明する。赤外線吸収層２１０は、図７（ｂ）に示すように、保護層兼用透明シート１１０のドットパターン読み取り面の反対面に形成される。すなわち、赤外線吸収層２１０は、保護層兼用透明シート１１０と、媒体２０の一例である印刷媒体２３の表面との間に位置させている。
保護層兼用透明シート１１０は、そのドットパターン読み取り面の反対面、すなわち図７（ｂ）において向かって左側の面に、ドットパターン３０が左右反転して形成されたものであり、透明シートを保護層と兼用させるものである。
図３の赤外線照射手段４１から照射される所定波長領域の赤外線は、図７（ｂ）に示すように、保護層兼用透明シート１１０を通過後、ドット３１に当たり反射され、再度、保護層兼用透明シート１１０を通過後、図３の撮像手段４３により撮像される。
ドット３１に当たらない所定波長領域の赤外線は、保護層兼用透明シート１１０を通過後、赤外線吸収層２１０に入射する。入射した赤外線は、赤外線吸収層２１０を通過時に、一次的に吸収される。なお、赤外線吸収率を高く設定した場合には、一次吸収により赤外線を全て吸収することも可能である。
一次吸収された残りの赤外線は、赤外線吸収層２１０を通過後、媒体２０の一例である印刷媒体２３の表面に当たり、一部が反射され、再度、赤外線吸収層２１０を通過する。二度目の通過時、一次吸収され、反射された残り赤外線は、赤外線吸収層２１０により二次的に吸収される。二次吸収された赤外線は、保護層兼用透明シート１１０を通過する。二次吸収され、保護層兼用透明シート１１０を通過した赤外線は、ドット３１により直接反射された反射光と区別できる程度に、減衰されている。なお、赤外線吸収率を高く設定した場合には、一次・二次吸収により赤外線を全て吸収することも可能である。
なお、図７（ｂ）に示す実施の形態の説明において、媒体２０として、ディスプレイ２１を例示したが、同図（ｄ）に示すように、印刷媒体２３であってもよいし、図示しないが、透明媒体であってもよい。
【００１７】
＜第４の実施の形態、図８、光波長変換層３１０＞
つぎに、図８を用いて本発明の第４の実施の形態について説明する。
本実施の特徴は、先に図１を用いて説明した第１実施の形態に、図８に示すように、光波長変換層３１０を追加した点を特徴とするものである。
光波長変換層３１０は、図３の赤外線照射手段４１から照射される所定波長領域の赤外線を、同じく図３のフィルター４２で遮断される波長領域に変換するものである。
光波長変換層３１０は、図８（ｂ）に示すように、単独で形成してもよいし、あるいは同図（ａ）に示すように、透明シートに光波長変換層を含み、透明シートを光波長変換層と兼用させ、光波長変換層兼用透明シート３００としてもよい。
光波長変換層兼用透明シート３００には、図８（ａ）に示すように、ドットパターン読み取り側の面に、ドットパターン３０が形成されている。さらに、ドットパターン３０の外側には、保護層１００が形成されている。
図３の赤外線照射手段４１から照射される所定波長領域の赤外線は、図８（ａ）に示すように、保護層１００を通過後、ドット３１に当たり反射され、再度、保護層１００を通過後、図３の撮像手段４３により撮像される。
ドット３１に当たらない所定波長領域の赤外線は、光波長変換層兼用透明シート３００を通過する。通過時に、所定波長領域の赤外線は、光波長変換層兼用透明シート３００により波長領域が一次的に変更される。
波長領域が一次変更された赤外線は、光波長変換層兼用透明シート３００を通過後、媒体２０の一例である印刷媒体２３の表面に当たり、反射され、再度、光波長変換層兼用透明シート３００を通過する。二度目の通過時、一次変更され、反射された赤外線は、光波長変換層兼用透明シート３００により波長領域が二次的に変更される。
光波長変換層兼用透明シート３００を通過し、波長領域が二次的に変更された赤外線は、図３のフィルター４２で遮断され、撮像手段４３に入射しない。
なお、光波長変換層兼用透明シート３００により、波長領域を一次・二次で変更したが、これに限定されず、光波長変換層兼用透明シート３００を２回目に通過する際には、波長領域が一次変更された赤外線がそのまま、すなわち波長領域が変更されることなく、通過するように構成してもよい。
光波長変換層３１０は、図８（ｂ）に示すように、保護層兼用透明シート１１０のドットパターン読み取り面の反対面に形成される。すなわち、光波長変換層３１０は、保護層兼用透明シート１１０と、媒体２０の一例である印刷媒体２３の表面との間に位置させている。
保護層兼用透明シート１１０は、そのドットパターン読み取り面の反対面、すなわち図８（ｂ）において向かって左側の面に、ドットパターン３０が左右反転して形成されたものであり、透明シートを保護層と兼用させるものである。
図３の赤外線照射手段４１から照射される所定波長領域の赤外線は、図８（ｂ）に示すように、保護層兼用透明シート１１０を通過後、ドット３１に当たり反射され、再度、保護層兼用透明シート１１０を通過後、図３の撮像手段４３により撮像される。
ドット３１に当たらない所定波長領域の赤外線は、保護層兼用透明シート１１０を通過後、光波長変換層３１０に入射する。入射した赤外線は、光波長変換層３１０を通過時に、波長領域が一次的に変更される。
波長領域が一次変更された赤外線は、光波長変換層３１０を通過後、媒体２０の一例である印刷媒体２３の表面に当たり、反射され、再度、光波長変換層３１０を通過する。二度目の通過時、一次変更され、反射された赤外線は、光波長変換層３１０により波長領域が二次的に変更される。二次変更された赤外線は、保護層兼用透明シート１１０を通過する。二次変更され、保護層兼用透明シート１１０を通過した赤外線は、図３のフィルター４２で遮断され、撮像手段４３に入射しない。
なお、光波長変換層３１０により、波長領域を一次・二次で変更したが、これに限定されず、光波長変換層３１０を２回目に通過する際には、波長領域が一次変更された赤外線がそのまま、すなわち波長領域が変更されることなく、通過するように構成してもよい。
なお、本実施の形態の説明において、媒体２０として、印刷媒体２３を例示したが、媒体２０は前述の図１（ａ）に示すように、ディスプレイ２１であってもよいし、前述の同図（ｃ）に示すように、透明媒体２２であってもよい。
【００１８】
＜第５の実施の形態、図９、赤外線減衰層４１０＞
つぎに、図９を用いて本発明の第５の実施の形態について説明する。
本実施の特徴は、先に図１を用いて説明した第１実施の形態に、図９に示すように、赤外線減衰層４１０を追加した点を特徴とするものである。ここでの減衰は減衰層において様々な方向に赤外線が逸散し、照射された赤外線の強さが実質的に減少することも含んでいる。
赤外線減衰層４１０は、図３の赤外線照射手段４１から照射される所定波長領域の赤外線を、ドット３１により拡散反射された赤外線反射光と、該ドット３１が形成されていない領域を減衰しながら透過する赤外線が少なくとも所定の媒体面、例えば媒体２０の一例である印刷媒体２３の表面で反射された赤外線反射光と、を図３の撮像手段４３で撮像されたドットパターン画像のドットを復号化手段４１が識別可能なレベルに、該赤外線が減衰するのに必要な所定の厚さを有する透明体か、または該赤外線が減衰するに必要な所定の間隔を有する減衰間隔が透明シート１１０のドットパターン読み取り面の反対面に形成されたものである。
すなわち、赤外線減衰層４１０は、大別すると、「透明体」から構成される場合と、「減衰間隙」から構成される場合がある。
「透明体」の場合には、透明体に赤外線の減衰する物質を混入させて形成するか、あるいは赤外線の減衰する物質を混入させずに、赤外線の通過方向の透明体の厚みを利用して赤外線を減衰させてもよい。
「減衰間隙」の場合には、その赤外線の通過方向の空隙の距離を利用して赤外線を減衰させている。
赤外線減衰層４１０は、図９（ｂ）に示すように、単独で形成してもよいし、あるいは同図（ａ）に示すように、透明シートに赤外線減衰層を含み、透明シートを赤外線減衰層と兼用させ、赤外線減衰層兼用透明シート４００としてもよい。
赤外線減衰層兼用透明シート４００には、図９（ａ）に示すように、ドットパターン読み取り側の面に、ドットパターン３０が形成されている。さらに、ドットパターン３０の外側には、保護層１００が形成されている。
図３の赤外線照射手段４１から照射される所定波長領域の赤外線は、図９（ａ）に示すように、保護層１００を通過後、ドット３１に当たり反射され、再度、保護層１００を通過後、図３の撮像手段４３により撮像される。
ドット３１に当たらない所定波長領域の赤外線は、赤外線減衰層兼用透明シート４００を通過する。通過時に、所定波長領域の赤外線は、赤外線減衰層兼用透明シート４００により一次的に減衰される。なお、赤外線の減衰率を高く設定した場合には、一次減衰により赤外線を全て減衰させることも可能である。
一次減衰された残りの赤外線は、赤外線減衰層兼用透明シート４００を通過後、媒体２０の一例である印刷媒体２３の表面に当たり、一部が反射され、再度、赤外線減衰層兼用透明シート４００を通過する。二度目の通過時、一次減衰され、反射された残り赤外線は、赤外線減衰層兼用透明シート４００により二次的に減衰される。二次減衰された赤外線は、ドット３１により直接反射された反射光と区別できる程度に、減衰されている。なお、赤外線吸収率を高く設定した場合には、一次・二次減衰により赤外線を全て減衰させることも可能である。
赤外線減衰層４１０は、図９（ｂ）に示すように、保護層兼用透明シート１１０のドットパターン読み取り面の反対面に形成される。すなわち、赤外線減衰層４１０は、保護層兼用透明シート１１０と、媒体２０の一例である印刷媒体２３の表面との間に位置させている。図９（ｂ）で例示する赤外線減衰層４１０としては、透明体を保護層兼用透明シート１１０と、媒体２０の一例である印刷媒体２３の表面との間に位置させている。透明体は、赤外線が減衰するのに必要な所定の厚さを有している。
保護層兼用透明シート１１０は、そのドットパターン読み取り面の反対面、すなわち図９（ｂ）において向かって左側の面に、ドットパターン３０が左右反転して形成されたものであり、透明シートを保護層と兼用させるものである。
図３の赤外線照射手段４１から照射される所定波長領域の赤外線は、図９（ｂ）に示すように、保護層兼用透明シート１１０を通過後、ドット３１に当たり反射され、再度、保護層兼用透明シート１１０を通過後、図３の撮像手段４３により撮像される。
ドット３１に当たらない所定波長領域の赤外線は、保護層兼用透明シート１１０を通過後、赤外線減衰層４１０に入射する。入射した赤外線は、赤外線減衰層４１０を通過時に、一次的に減衰される。なお、赤外線の減衰率を高く設定した場合には、一次減衰により赤外線を全て減衰させることも可能である。
一次減衰された残りの赤外線は、赤外線減衰層４１０を通過後、媒体２０の一例である印刷媒体２３の表面に当たり、一部が反射され、再度、赤外線減衰層４１０を通過する。二度目の通過時、一次減衰され、反射された残り赤外線は、赤外線減衰層４１０により二次的に減衰される。二次減衰された赤外線は、保護層兼用透明シート１１０を通過する。二次減衰され、保護層兼用透明シート１１０を通過した赤外線は、ドット３１により直接反射された反射光と区別できる程度に、減衰されている。なお、赤外線の減衰率を高く設定した場合には、一次・二次減衰により赤外線を全て減衰させることも可能である。
なお、本実施の形態の説明において、媒体２０として、印刷媒体２３を例示したが、媒体２０は前述の図１（ａ）に示すように、ディスプレイ２１であってもよいし、前述の同図（ｃ）に示すように、透明媒体２２であってもよい。また、ディスプレイ２１の場合には、その表示面から保護層兼用透明シート１１０を離して配置し、両者の間の空隙を発生させ、当該空隙を「減衰間隙」として利用することができる。すなわち、保護層兼用透明シート１１０を通過した赤外線を、空隙である「減衰間隙」を通過する際に、減衰させることができる。
【００１９】
＜第６の実施の形態、図１０、表裏面ドット＞
つぎに、図１０を用いて本発明の第６の実施の形態について説明する。
本実施の形態の特徴は、第一に、図１０に示すように、ドットパターン３０，５１０をそれぞれ形成した透明シート１１０，５００を２枚貼り付けまたは配置し、あるいは図示しないが、１枚の透明シートの表裏面にドットパターンを形成して情報入力補助シート１０を構成し、情報入力補助シート１０を裏返すことで、両面側からドットパターン３０，５１０を読み取れるようにした点である。
第二に、本実施の形態の特徴は、図１０に示すように、２枚の透明シート１１０，５００の間に、赤外線吸収層２１０、光波長変換層３１０もしくは赤外線減衰層４１０を形成するか、あるいは図示しないが、１枚の透明シートの表裏面にドットパターンを形成し、且つ透明シートを赤外線吸収層２１０、光波長変換層３１０もしくは赤外線減衰層４１０と兼用させた点である。
具体的には、図１０（ａ）に示すように、２枚の透明シート１１０，５００に、ドットパターン３０，５１０をそれぞれ形成する。２枚の透明シート１１０，５００のうち、第１の透明シートは、第１の保護層兼用透明シート１１０であり、赤外線吸収層２１０と対向する内面に、第１のドットパターン３０を左右反転して形成している。また、２枚の透明シート１１０，５００のうち、残る第２の透明シートは、第２の保護層兼用透明シート０であり、赤外線吸収層２１０と対向する内面に、第２のドットパターン５１０を左右反転して形成している。
なお、透明シートとして、保護層兼用透明シート１１０，５００を使用したが、これらに限定されず、透明シートと保護層とを分離させてもよい。例えば、図示しないが、赤外線吸収層２１０と対向する内面の反対面、すなわち外面にドットパターン３０，５１０を形成し、更に外側に保護層を設けてもよい。また、２枚の透明シート１１０，５００のうち、一方の透明シートだけ、保護層を設けてもよいし、両方の透明シートとも、保護層を設けてもよい。
２枚の第１、第２の保護層兼用透明シート１１０，５００は、赤外線吸収層２１０の表裏面に貼付または配置し、情報入力補助シート１０を構成している。
情報入力補助シート１０は、媒体２０の一例である印刷媒体２３の表面上に配置される。
図１０（ａ）に示すように、第１の保護層兼用透明シート１１０を、ドットパターン読み取り面側に配置した場合には、図３の赤外線照射手段４１から照射される所定波長領域の赤外線は、ドット３１に当たり反射され、図３の撮像手段４３により撮像される。
ドット３１に当たらない所定波長領域の赤外線は、第１の保護層兼用透明シート１１０を通過後、赤外線吸収層２１０に入射し、その全部または一部が吸収され、第２の保護層兼用透明シート０に至る。
一方、図示しないが、情報入力補助シート１０を裏返すことで、第２の保護層兼用透明シート０の第２のドットパターン５１０を撮像して読み取ることができる。
なお、図１０（ａ）において、赤外線吸収層２１０の位置に、図示しないが、「赤外線吸収層兼用透明シート」を位置させ、その表裏面にドットパターンを形成してもよい。このとき、ドットパターンが外面側に位置するため、図１０（ａ）において、２枚の透明シート１１０，５００の位置に、「保護層」を設けてもよい。
図１０（ｂ）は、図１０（ａ）の赤外線吸収層２１０に代えて、「光波長変換層３１０」を設けたものである。
図１０（ａ）に示すように、第１の保護層兼用透明シート１１０を、ドットパターン読み取り面側に配置した場合には、図３の赤外線照射手段４１から照射される所定波長領域の赤外線は、ドット３１に当たり反射され、図３の撮像手段４３により撮像される。
ドット３１に当たらない所定波長領域の赤外線は、第１の保護層兼用透明シート１１０を通過後、光波長変換層３１０に入射し、その波長領域が変更され、第２の保護層兼用透明シート０に至る。
一方、図示しないが、情報入力補助シート１０を裏返すことで、第２の保護層兼用透明シート０の第２のドットパターン５１０を撮像して読み取ることができる。
なお、図１０（ｂ）において、光波長変換層３１０の位置に、図示しないが、「光波長変換層兼用透明シート」を位置させ、その表裏面にドットパターンを形成してもよい。このとき、ドットパターンが外面側に位置するため、図１０（ｂ）において、２枚の透明シート１１０，５００の位置に、「保護層」を設けてもよい。
図１０（ｃ）は、図１０（ａ）の赤外線吸収層２１０に代えて、「赤外線減衰層４１０」を設けたものである。
図１０（ｃ）に示すように、第１の保護層兼用透明シート１１０を、ドットパターン読み取り面側に配置した場合には、図３の赤外線照射手段４１から照射される所定波長領域の赤外線は、ドット３１に当たり反射され、図３の撮像手段４３により撮像される。
ドット３１に当たらない所定波長領域の赤外線は、第１の保護層兼用透明シート１１０を通過後、赤外線減衰層４１０に入射し、その全部または一部が減衰され、第２の保護層兼用透明シート０に至る。
一方、図示しないが、情報入力補助シート１０を裏返すことで、第２の保護層兼用透明シート０の第２のドットパターン５１０を撮像して読み取ることができる。
なお、図１０（ｃ）において、赤外線減衰層４１０の位置に、図示しないが、「赤外線減衰層兼用透明シート」を位置させ、その表裏面にドットパターンを形成してもよい。このとき、ドットパターンが外面側に位置するため、図１０（ｃ）において、２枚の透明シート１１０，５００の位置に、「保護層」を設けてもよい。
なお、本実施の形態の説明において、媒体２０として、印刷媒体２３を例示したが、媒体２０は前述の図１（ａ）に示すように、ディスプレイ２１であってもよいし、前述の同図（ｃ）に示すように、透明媒体２２であってもよい。
【００２０】
＜図４の情報処理装置６０＞
情報処理装置６０は、図４（ａ）に示すように、その全部を図３の光学読み取り装置４０（例えばペン型スキャナ）に内蔵させてもよいし、あるいは同図（ｂ）に示すように、一部、例えば光量制御手段６２を図３の光学読み取り装置４０に内蔵させ、残る一部、例えば後述する復号化手段６１およびゲイン調整手段６３およびキャリブレーション手段６４等を、外部、例えばＰＣ５０側に配置してもよい。なお、各手段の配置は、図４（ａ）や同図（ｂ）の例に限定されない。
情報処理装置６０の入力段には、図４（ａ）に示すように、次の構成が接続されている。
なお、情報処理装置６０の入力段に接続された構成は、次の（１）に限定されない。
（１）撮像手段４３
撮像手段４３は、図３の光学読み取り装置４０に内蔵されている。
情報処理装置６０の出力段には、図４（ａ）に示すように、次の構成が接続されている。
なお、情報処理装置６０の出力段に接続された構成は、次の（２）〜（４）に限定されない。
（２）赤外線照射手段４１
赤外線照射手段４１は、図３の光学読み取り装置４０に内蔵されている。
（３）送信手段８０
送信手段８０は、復号化されたドットコードまたは該ドットコードに対応する命令および／またはデータを、ＰＣ５０側に送信するためのものである。すなわち、図３の光学読み取り装置４０に内蔵された復号化手段６１により復号されたドットコードまたは該ドットコードに対応する命令および／またはデータを、ＰＣ５０側に配置された情報処理装置に送信できる。なお、図４（ｂ）に示すように、復号化手段６１をＰＣ５０側に配置した場合は、ドットパターンの撮像画像をＰＣ５０側の情報処理装置に送信し、当該情報処理装置の復号化手段で復号化する。
（４）出力手段８１
出力手段８１は、復号化されたドットコードまたは該ドットコードに対応する命令および／またはデータに対応する情報を出力するためのものである。すなわち、図３の光学読み取り装置４０に内蔵された復号化手段６１により復号化されたドットコードまたは該ドットコードに対応する命令および／またはデータに対応する情報を、外部、例えば図３のＰＣ５０側に出力できる。出力手段８１としては、音声出力や映像出力、超音波、HID出力など様々な形態がある。
情報処理装置６０は、図４（ａ）に示すように、次の構成を備える。
なお、情報処理装置６０の構成は、次の（５）〜（８）に限定されない。
（５）復号化手段６１
復号化手段６１は、図３の撮像手段４３で撮像されたドットパターン画像をドットコードに復号化するためのものである。
（６）光量制御手段６２
光量制御手段６２は、図３の光学読み取り装置４０に内蔵された赤外線照射手段４１より照射し、ドット３１から反射され撮像手段４３で撮像された、ドットパターン画像の所定領域の赤外線の明度を測定し、該明度が所定範囲になるよう、該赤外線照射手段４１から照射する赤外線を制御するためのものである。
すなわち、光量制御手段６２により、光学読み取り装置４０を情報入力補助シート１０に対して斜めにした場合などで、撮像手段４３で撮像された、ドットパターン画像の一部が極端に暗くなりドットを認識できなくなる状態を改善することができる。すなわち、明度の測定の結果、ドットパターン画像の一部が極端に暗くなっている場合には、赤外線照射手段４１から照射する赤外線の光量を増加させることで、ドットパターン画像の一部が極端に暗くなりドットを認識できなくなる状態を改善できる。
（７）ゲイン調整手段６３
ゲイン調整手段６３は、図３の光学読み取り装置４０に内蔵された赤外線照射手段４１により照射し、ドット３１から反射され撮像手段４３で撮像された、ドットパターン画像の所定領域の赤外線の明度を測定し、該明度が所定範囲になるよう、該ドットパターン画像のゲインを調整するためのものである。
すなわち、ゲイン調整手段６３により、光学読み取り装置４０を情報入力補助シート１０に対して斜めにした場合などで、撮像手段４３で撮像された、ドットパターン画像の一部が極端に暗くなりドットを認識できなくなる状態を改善することができる。すなわち、明度の測定の結果、ドットパターン画像の一部が極端に暗くなっている場合には、ドットパターン画像のゲインを上げることで、ドットパターン画像の一部が極端に暗くなりドットを認識できなくなる状態を改善できる。
（８）キャリブレーション手段６４
キャリブレーション手段６４は、図３の光学読み取り装置４０で指示した情報入力補助シート１０上の位置を、ディスプレイの表示画面や印刷媒体、例えば図１（ａ）のディスプレイ２１の表示面上の表示物や印刷面に正しく対応させるためのものである。キャリブレーションについては、図２３〜２６を用いて後述する。
【００２１】
＜ドットパターンの説明＞
つぎに、ドットパターンの一例について、図１１〜６０を用いて以下に説明する。
ドットパターンの態様としては、次の例がある。
なお、ドットパターンの態様は、次の（１）〜（４）に限定されない。
（１）第１の例（「ＧＲＩＤ０」、図１３〜１７）
（２）第２の例（「ＧＲＩＤ１」、図１５（ａ）および図１６（ａ）、図１８）
（３）第３の例（「ＧＲＩＤ５」、図１９〜２３）
（４）第４の例（「ＧＲＩＤ６」、図２６〜６０）
上記第１〜第４の例における情報ドットについて、次の例を用いて説明する。
なお、情報ドットの例は、次の（５）および（６）に限定されない。
（５）情報ドットのとらえ方（図１１）
（６）情報ドットのコードの割り当て（図１２）
（７）ドットパターンの読み取り（図２４および図２５）
【００２２】
＜図１１の情報ドットのとらえ方＞
情報ドットのとらえ方は、図１１（ａ）〜（e）に示す通りである。
なお、情報ドットのとらえ方は、図１１（ａ）〜（e）の例に限定されない。
すなわち、図１１（ａ）に示すように、情報ドットを仮想点の上下左右、斜めに配置するほか、情報ドットを配置しない場合、仮想点に情報ドットを配置するか、配置しない場合も含めて情報量を増やすことが可能である。  図１１（ｂ）は、２行×２列の計４個の仮想領域内に情報ドットを配置したものであるが、境界付近に情報ドットを配置すると誤認識が発生する可能性があるので、図１１（ｃ）は、一定の間隔をおいて隣り合う仮想領域を配置した実施例である。  なお、４個の仮想領域内に複数個の情報ドットを配置したり、情報ドットを配置しない場合も含めて情報量を増やすことが可能である。
図１１（ｄ）は、３行×３列の計９個の仮想領域内に情報ドットを配置したものである。なお、９個の仮想領域内に複数個の情報ドットを配置したり、情報ドットを配置しない場合も含めて情報量を増やすことが可能である。
図１１（e）は、正方形の中点および対角線を全て直線あるいは仮想線で結び、計８個の仮想領域内に情報ドットを配置したものである。なお、８個の仮想領域内に複数個の情報ドットを配置したり、情報ドットを配置しない場合も含めて情報量を増やすことが可能である。
図１１（ｂ）〜（e）の仮想領域は矩形または三角形であるが、図１１（ｃ）のように、仮想領域が互いに接する必要もなく、円形や他の多角形など、どのような形状であっても構わない。さらに、その仮想領域の数を増やすことによって情報量を増大できる。なお、仮想領域への情報ドットの配置は、図１１（ａ）で示された、仮想点から所定の方向に所定の距離だけずれて配置される情報ドットの配置方法と同一である。なぜなら、印刷データを作成するに当たって、どのような仮想領域に配置する場合も、いずれかの位置を示す座標データで配置位置を決定する必要があり、仮想点からずれて配置するために座標データを算定することと何ら変わりがない。また、ドットを読み取る際も、いずれの配置方法であっても、ドットパターンを撮像した画像において、情報ドットが配置される可能性のある複数の配置位置を中心に円形かまたは矩形等のドット認識判定領域を設定し、そのドット認識判定領域内にドットがあるかどうかを判定してドットを認識することからも、同一の情報ドット読み取り方法と言える。
【００２３】
＜図１２の情報ドットのコードの割り当て＞
情報ドットのコードの割り当ては、図１２（ａ）〜（ｃ）に示す通りである。
すなわち、図１２（ａ）に示すように、例えばカンパニーコードなどの「コード値」に全て割り当ててもよいし、同図（ｂ）に示すように、１つのコードフォーマットとして「Ｘ座標値」と「Ｙ座標値」の２つのデータ領域に割り当ててもよいし、あるいは同図（ｃ）に示すように、「コード値」、「Ｘ座標値」、「Ｙ座標値」の３つのデータ領域に割り当ててもよい。長方形の領域に座標値を割り当てる場合は、データ量を削減するために「Ｘ座標値」、「Ｙ座標値」のデータ領域は異なってもよい。さらに、図示しないが位置座標における高さを定義するために「Ｚ座標値」をさらに割り当ててもよい。なお、「Ｘ座標値」、「Ｙ座標値」を割り当てた場合は、位置情報のため、Ｘ、Ｙ座標の＋方向に座標値が所定量だけ増分するため、全てのドットパターンは同一ではなくなる。また、図１２（ａ）〜（ｃ）から明らかなように、割り当てるコードの種類を増やすほど、ドット認識判定領域が小さくなり、情報ドットの配置位置を正しく認識しづらくなる。
【００２４】
＜第１の例（「ＧＲＩＤ０」）、図１３〜１７＞
ドットパターンの第１の例は、本出願人は「ＧＲＩＤ０」との仮称で呼んでいる。
「ＧＲＩＤ０」の特徴は、キードットを用いることで、ドットパターンの範囲や方向の少なくとも一つを認識できるようにしたものである。
「ＧＲＩＤ０」は、図１３〜１７に示すように、次の構成を備える。
（１）情報ドット
情報ドットは、情報を記憶するためのものである。
なお、情報ドットのとらえ方は、図１１（ａ）〜（ｅ）に示した通りであり、また、情報ドットのコードの割り当ては図１２（ａ）〜（ｃ）に示した通りである。
なお、情報ドットを配置しない場合、仮想点に情報ドットを配置するか、配置しない場合も含めて情報量を増やすことが可能である。
（２）基準ドット
基準ドットは、予め設定された複数の位置に配置されたものである。
基準ドットは、後述する仮想点あるいは仮想領域の位置を特定するためのものである。
（３）キードット
キードットは、基準ドットをずらして配置されるか、または図１４に示すように、基準ドットの配置位置からずれた位置に加えて配置されるものである。つまり、基準ドットをずらして配置される場合は、基準ドットがずれるため元の基準ドットの配置位置には基準ドットがなくなる。そこで、キードットは元の基準ドットの役割も担うことになり、元の基準ドットの位置を他の基準ドットの配置から推定できるようにすることが望ましい。基準ドットの配置位置からずれた位置に加えて配置された場合は、基準ドットとキードットの２つが近傍に配置されることになる。
キードットは、基準ドットと仮想点に対する情報ドット、あるいは基準ドットと仮想領域中に配置する情報ドットの基準となる方向を特定するものである。この基準となる方向が定まることにより、仮想点に対する情報ドットの方向で情報を与え、読み取ることが可能となる。さらに１つのデータを複数の情報ドットで定義するドットパターンの範囲を特定することもできる。これにより、ドットパターンが上下左右に並べられていても、ドットパターンの範囲を読み取りデータを復号化することができる。
（４）仮想点あるいは仮想領域
仮想点あるいは仮想領域は、基準ドットの配置により特定されるものである。図１５に仮想点からの距離と方向の少なくともいずれかで情報を定義する場合、方向については、前述したキードットによるドットパターンの方向を基準として情報を定義すればよい。距離については、所定の基準ドット間の距離を基準にすればよい。なお、仮想領域を配置して情報を定義する場合は、情報を１個付与するための複数の仮想領域の中心もしくは代表点を仮想点として、上記と同様に基準点の配置で仮想点の位置を特定し、さらに仮想点からの距離と方向で仮想領域を定義してもよい。また、基準ドットの配置から、全ての仮想領域の配置位置を直接特定してもよい。なお、隣り合う仮想領域は連結してもよいが、その場合境界付近に情報ドットを配置すると誤認識が送る可能性があるので、一定の間隔を置いて仮想領域を配置した方が望ましい。
図１３は、「ＧＲＩＤ０」のドットパターンの汎用例を示すものであり、同（ａ）は基準ドットを略プラスの文字形に配置した例、同（ｂ）は情報ドットの配置個数を増加した例、同（ｃ）は基準ドットを六角形に配置した例をそれぞれ示すものである。
なお、ドットパターンの汎用例は、図１３（ａ）〜（ｃ）に例示した略プラスの文字形や略六角形に限定されない。
図１４は、図１３の変形例を示し、キードットを基準ドットの配置位置からずれた位置に加えて配置したものであり、その結果、基準ドットとキードットの２つが近傍に配置されることになる。
図１５は、「ＧＲＩＤ０」のドットパターンの変形例を示すものであり、同（ａ）は基準ドットを略方形に配置した例、同（ｂ）は基準ドットを略Ｌ字形に配置した例、同（ｃ）は基準ドットを略十字架形あるいは略プラス形に配置した例をそれぞれ示すものである。
なお、ドットパターンの変形例は、図１５（ａ）〜（ｃ）に例示した略方形、略Ｌ字形、あるいは略十字架形あるいは略プラス形に限定されない。
図１６〜図１７は、「ＧＲＩＤ０」のドットパターンを連結例ないし連接例を示すものであり、同図（ａ）は基準ドットを略方形に配置したドットパターンを、その基準ドットの一部が共通するように隣接させて複数配置した連結例である。連結ができる条件は、１つのドットパターンの上下および／または左右の両端のドットの位置が必ず同一位置とならなければならない。なお、上下または左右のみ連結してもよい。同図（ｂ）は基準ドットを略Ｌ字形に配置したドットパターンを相互に独立させて複数配置した第１の連接例をそれぞれ示すものである。図１７（ａ）は、基準ドットをプラス形に配置したドットパターンを相互に独立させて複数配置した第２の連接例を示すものである。なお、連接とは、ドットパターンを所定の間隔をおいて上下左右に並べる方法である。図１７（ｂ）は、基準ドットを六角形に配置したドットパターンを、その基準ドットの一部が共通するように隣接させて複数配置した連結例である。
また、ドットパターンを連結例ないし連接例は、図１６（ａ）および（ｂ）ならびに図１７に例示した配置に限定されない。
【００２５】
＜第２の例（「ＧＲＩＤ１」）＞
ドットパターンの第２の例は、本出願人は「ＧＲＩＤ１」との仮称で呼んでいる。
「ＧＲＩＤ１」は、図１５（ａ）に示すように「ＧＲＩＤ０」の基準ドットの配置を限定したものであり、基準ドットを矩形状、例えば正方形や長方形に配置した点と仮想点をその周辺の４つの基準点の中心としたことを特徴とする。中心とは、図１８に示すように周辺の４点の基準点の座標値を４で除した座標値から算定される。これにより、光学読み取り装置を傾けてドットパターンを読み取る場合やレンズのゆがみ、ドットパターンが形成された印刷媒体の変形の影響などで、撮影画像においてドットパターンの配置が変形しても、４つの基準ドットと同様に情報ドットの配置が移動するため、隣接する４つの基準ドットの移動した配置によって相対的に情報ドットの配置が正確に算定され、認識率の低下が少ない。当然、図１５（ｂ）、（ｃ）のように、情報ドットが基準ドットと離れて配置された場合は、情報ドットの配置位置が正確に把握できず、誤認する場合がある。
図面上は、図１５（ａ）の基準ドットを正方形に配置した変形例や、図１６（ａ）の上下左右にドットパターンを繰り返し配置し、周辺の基準ドットを重ねたドットパターンの連結例がある。
なお、基準ドットを、図１５（ａ）に示すように、正方形に配置したが、これに限定されず、長方形に配置してもよい。また、基準ドットを、図１６（ａ）に示すように、連結させたが、これに限定されず、隣接するドットパターンを相互に独立させ所定の間隔で連接させて配置してもよい。
【００２６】
＜第３の例（「ＧＲＩＤ５」）＞
ドットパターンの第３の例は、本出願人は「ＧＲＩＤ５」との仮称で呼んでいる。
「ＧＲＩＤ５」は、「ＧＲＩＤ０」のキードットに代えて、「基準ドットの配置の仕方」によって、ドットパターンの範囲および方向を認識できるようにしたものである。「基準ドットの配置の仕方」でドットパターンの方向を認識するためには、基準ドットの配置がどのような点を中心にどれだけ回転（３６０°を除く）させても、回転前の配置と同一にならない非軸対称でなければならない。さらに、ドットパターンを上下および／または左右に複数繰り返し並べて連接または連結した場合にも、ドットパターンの範囲および向きが認識できる必要がある。
なお、「ＧＲＩＤ０」として、キードットを含んでいても、キードットを基準ドットとして認識させ、「基準ドットの配置の仕方」により、キードットが無い「ＧＲＩＤ５」のドットパターンとして、その範囲や方向を認識できる。
さらに、図２０〜２２に示すように、「ＧＲＩＤ５」の特殊な例として、「基準ドットの配置の仕方」でドットパターンの範囲のみを特定し、情報ドットの配置位置、つまり「仮想点の配置の仕方」や、所定の情報ドットの向きまたは配置法則によりドットパターンの向きを特定することができる。この場合は、基準ドットの配置がいずれかの点を中心に回転（３６０°を除く）させると、回転前の配置と同一になる軸対称であっても構わない。さらに、ドットパターンを上下および／または左右に複数繰り返し並べて連接または連結した場合にも、ドットパターンの範囲のみ認識できればよい。なお、本出願人はこれを「ディレクションドット」の仮称で呼んでいる。
図１９は、「ＧＲＩＤ５」のドットパターンの汎用例を示すものであり、同（ａ）は基準ドットを上下方向に非対称な略ハウス形に配置した例、同（ｂ）は基準ドットを上下方向に非対称な略十字架形に配置した例、同（ｃ）は基準ドットを上下方向に非対称な略二等辺三角形に配置した例をそれぞれ示すものである。
なお、ドットパターンの汎用例は、図１９（ａ）〜（ｃ）に例示した略ハウス形、略十字架形あるいは略三角形に限定されない。
図２０は、ドットパターンの方向を定める「ディレクションドット」の汎用例を示すものであり、同（ａ）は基準ドットで情報ドットを取り囲むように正方形に配置し、その中心の情報ドットを「ディレクションドット」として、「ディレクションドット」のずらす方向でドットパターンの向きを定める。なお、他の情報ドットは＋×方向とする。同（ｂ）は、基準ドットを略プラスに配置し、その中心の「ディレクションドット」を一方向にずらして配置したものであり、当該「ディレクションドット」のずらす方向でドットパターンの向きを定める。同（ａ）、（ｂ）のドットパターンの向きを定める「ディレクションドット」の配置は、予め定めておけばどのような方向にずらして配置してよい。また、他の情報ドットも仮想点からの距離と方向でどのように定義してもよい。
図２１は、「ディレクションドット」の変形例を示すものであり、同（ａ）は基準ドットで情報ドットを取り囲むように正方形に配置し、＋方向の情報ドットを３か所に配置することによりドットパターンの向きを定める。なお、他の情報ドットは×方向とする。すなわち、他の情報ドットと情報ドットの配置規則を異ならせた「ディレクションドット」の配置の仕方によりドットパターンの向きを定める。
図２１（ｂ）は、情報ドットを配置しないこと、つまり「仮想点の配置の仕方」により、ドットパターンの向きを定めた例である。すなわち、基準ドットを正方形に配置しているため、基準ドットの配置によりドットパターンの「向き」を特定できない。このため、正方形に配置された基準ドットの領域内に配置された「仮想点」の１か所に「基準ドット」を配置しないことで、つまり「仮想点の配置の仕方」により、ドットパターンの「向き」を決める。なお、「基準ドット」を配置しない「仮想点」は、上段の３か所、あるいは下段の３か所のいずれもよい。
図２２は、「ディレクションドット」の変形例を示すものであり、同（ａ）は上下に基準ドットで配置し、その間に情報ドットを配置し、上下の中央を除く位置に、＋方向の情報ドットの配置によりドットパターンの向きを定める。なお、他の情報ドットは×方向とする。すなわち、他の情報ドットと情報ドットの配置規則を異ならせた「ディレクションドット」の配置の仕方によりドットパターンの向きを定める。同（ｂ）は、正三角形に基準ドットを配置して情報ドットを内外に矩形に配置することにより、ドットパターンの向きを決める。同（ｃ）は、同（ｂ）のドットパターンの連結例を示すものである。基準ドットを正三角形に配置したドットパターンを、その基準ドットの一部が共通するように隣接させて複数配置した連結例である。連結ができる条件は、１つのドットパターンの上下および／または左右の両端のドットの位置が必ず同一位置とならなければならない。なお、上下または左右のみ連結してもよい。なお、本実施例においては、正三角形の底辺の情報ドットを共有している。このように、ドットパターンを連結する際には、基準ドットだけでなく情報ドットを共有することも可能である。ただし、座標値のように、ドットパターン毎に値が変化するような場合においては、情報ドットを共有することはできない。
図２３は、「ＧＲＩＤ５」のドットパターンの変形例を示すものであり、同（ａ）は基準ドットを上下に非対称な略方形に配置した例、同（ｂ）はキードットを併用し、基準ドットを上下に非対称な略Ｌ字形に配置した例、同（ｃ）はキードットを併用し、基準ドットを上下に非対称な略十字架形に配置した例をそれぞれ示すものである。
なお、ドットパターンの汎用例は、図２３（ａ）〜（ｃ）に例示した上下に非対称な略方形、略Ｌ字形形あるいは略十字架形に限定されない。
【００２７】
＜ドットパターンの読み取り＞
以上の「ＧＲＩＤ０」、「ＧＲＩＤ１」、「ＧＲＩＤ５」のドットパターンが所定の領域内で同じコード値が定義され、上下左右に繰り返し並べて配置される場合、図２４のように、当該ドットパターンの範囲と同じ大きさの範囲で任意の領域を読み取れば、本来のドットパターンを構成する情報ドットが、(1)〜(16)（図中は「丸１〜丸16」と記載している。）あるいは(1)〜(9)（図中は「丸１〜丸９」と記載している。）まで全て充足され、定義されたコード値全てが読み取ることができる。このように、情報ドットの配置はドットパターンの向きと範囲によって確定できるため、コード値として構成される情報ドットの配置法則も特定できる。さらに、図２５のように、任意の領域で読み取るドットパターンの範囲において、当該範囲を超えて左右どちらかの情報ドットを読み取った場合、当該情報ドットと反対側端部に位置する情報ドットとは、定義される数値が同一であり、仮想点に対して同一の方向に同一距離だけずれた位置に配置される。この２つの情報ドットを繋ぐ線分は水平線となり、この水平線を平行移動することにより、仮想点を通る水平線を正確に認識できる。平行移動量は、対応する基準ドットが存在すれば、基準ドットが水平線上に位置するまでの距離となる。さらに、上下方向に対しても同様な手順で垂直線を認識すれば、水平線と垂直線の交点の位置を求めることにより、正確に仮想点を求めることができる。この方法によれば、光学読み取り装置を傾けてドットパターンを撮像し、ドットの配置が大きく変形しても仮想点を正確に求めることができ、情報ドットが示す数値を正確に認識できる。
【００２８】
つぎに、図２６〜６０を用いて、「ＧＲＩＤ６」の実施の形態について説明する。
本実施形態のドットパターンは、複数の行と複数の列からなるドットパターンである。
図２６は本発明のドットパターンを示す図である。ドットパターンは複数の行と複数の列に配置された複数の情報ドットを備えている。
このドットパターンはコードを符号化したものであり、異なったコードが符号化されたそれぞれのドットパターンは、隣接して配置された情報ドット間の距離を有するように情報ドットの配置が決定される。
具体的には、それぞれの行とそれぞれの列において隣接して配置された情報ドット間の距離の値の、長短の順位の順列、長短の順位の組み合わせ、比率の順列、比率の組み合わせ、または絶対値、絶対値の順列、絶対値の組み合わせの、少なくともいずれかによりコードが符号化される。
ただし、全ての行と列がコードの符号化に用いられる必要はなく、一部の行と一部の列のみがコードの符号化に用いられてもよい。
好ましくは、ドットパターンはそれぞれの行とそれぞれの列において、隣接して配置された情報ドット間の距離の値の、長短の順位の順列、長短の順位の組み合わせ、比率の順列、比率の組み合わせ、または絶対値、絶対値の順列、絶対値の組み合わせの、少なくともいずれかにのみ依拠してコードが符号化される。これにより、２次元的に帯状のドットパターンを配置し、各帯状のドットパターンで定義できるコード数を各行各列組み合わせることにより符号化できるコード数が飛躍的に増加できる。
従来のように所定の位置（仮想点）からのドットの配置方向や所定の位置に配置するか否かで情報を符号化することに依拠せずに、隣接するドット同士の距離の相対的な評価のみに基づいて情報を符号化した点に本件発明の優位性があり、（１）ドットパターン読み取りの計算が単純化でき高速化が図れる。（２）視覚的にコードを復号するのは難しいためセキュリティの向上が図れる。（３）少ないドット数での情報量を増加できる。という課題解決に寄与している。
また、このドットパターンは通常、上下または左右方向に所定の間隔をおいて連接される。
ドットパターンは紙面に印刷され（または表示手段により表示され）、このドットパターンをカメラデバイスにより撮影し、プロセッサにより画像データを解析することにより、コードを復号することができる。
画像データの解析は、画像データから情報ドットを抽出し、隣接して配置された情報ドット間の距離の値を算出し、情報ドット間の距離の値の、長短の順位の順列、長短の順位の組み合わせ、比率の順列、比率の組み合わせ、または絶対値、絶対値の順列、絶対値の組み合わせと対応するコードを復号する。
図２７は、図２６のドットパターンにおいて、情報ドットが有する所定方向間の距離に基づいてコードを符号化する場合について説明する図である。
コードの符号化に用いられる各行および各列について、各行、各列はそれぞれの始点情報ドットが有する所定方向で所定方向間の距離を求める。
図２８に示すドットパターンは、１つの行（または列）から構成され、その行（または列）に複数のドットが配置されたドットパターンが、複数の行と複数の列とに配置され、それぞれの行とそれぞれの列において隣接して配置された情報ドットを共有して、行と列の両方が構成されたドットパターンである。行と列の情報ドットを共有することにより、情報ドットの数を減らすことができる。これにより、ドット密度を少なくして単位面積当たりの情報量をさらに増加させることができる。なお、図示しないが、一部の情報ドットが行と列のいずれか一方を構成するドットパターンでもよい。
図２９は、情報ドットが有する所定方向間の距離に基づいてコードが符号化されたドットパターンである。
各行、各列はそれぞれの始点情報が有する所定方向で所定方向間の距離を求める。  図３０〜図３５は、ドットパターンが複数の行と複数の列とに配置され、それぞれの行とそれぞれの列において隣接して配置された情報ドットを共有して、行と列の両方が構成され、端部に基準ドットを配置したドットパターンについて説明する図である。
図３０は、上下端の行と左右端の列に配置された始点情報ドットと終点情報ドットが行または列に直交する仮想基準線上に所定間隔で配置された基準ドットとなっているドットパターンについて説明する図である。
図３１は、上端の行と左端の列に配置された始点情報ドット（または終点情報ドット）が行または列に直交する仮想基準線上に所定間隔で配置された基準ドットとなっているドットパターンについて説明する図である。なお基準ドットを配置するのは下端の行と右端の列でもよい。すなわち、上下の端部のいずれかの行と左右の端部のいずれかの列を、基準ドットを配置する行と列とすればよい。基準ドットを除く情報ドットは、行方向かつ列方向において隣接して配置された情報ドット間の距離の値に基づいてコードが符号化される。また、図３２に示すように、上下端の行の始点情報ドットと終点情報ドットを、基準ドットを配置する行としてもよい。また、図３３に示すように、上端の行の始点情報ドット（または終点情報ドット）を、基準ドットを配置する行としてもよい。
図３４は、図３０のドットパターンにおいて行または列に直交する仮想基準線が交差する位置に、基準ドットがさらに配置されたドットパターンについて説明する図である。図３５は、図３１のドットパターンにおいて行または列に直交する仮想基準線が交差する位置に、基準ドットがさらに配置されたドットパターンについて説明する図である。なお、上記基準ドットはコードを復号化するためには、直接的に必要ないがドットパターンを連接または連結して複数配置する場合、仮想基準線が交差する位置に配置しないと、その部分のドットが抜けてしまい模様が発生し、視覚効果が低下することから交差位置に基準ドットを配置するのが望ましい。また、ドットパターンの方向を決める際にも、使用することができる。
図３６、図３７は、ドットパターンの向きの定義について説明する図である。
同じドットパターンであっても、どの方向を正位、すなわちドットパターンを認識するための基準とするかにより、プロセッサの解析結果、および、実行される処理の結果が異なってくる。したがって、どの方向を基準にドットパターンが形成されているかを認識させるため、ドットパターンの向きを定義することが好ましい。特に、後述するが複数のドットパターンを連接または連結して配置する際には、ドットパターンの向きを認識することは極めて重要となる。  
図３６は、図３４のドットパターンの基準ドットの配置を変えた例であり、上下方向の仮想基準線上に配置された両端の基準ドット間の中央で直角に交差する一点鎖線に対して、該仮想基準線上の基準ドットが上下非対称となるよう前記所定間隔を定めてドットパターンの向きが定義されたドットパターンについて説明する図である。
基準ドットが上下左右対称であると、ドットパターンの向きを認識することが困難となる。したがって、上下（または左右）が非対称とすることにより、ドットパターンの向きを判別することができるようにした。
図３７は、図３５のドットパターンの基準ドットの配置を変えた例であり、左右方向の仮想基準線上に配置された両端の基準ドット間の中央で直角に交差する一点鎖線に対して、該仮想基準線上の基準ドットが左右非対称となるよう前記所定間隔を定めてドットパターンの向きが定義されたドットパターンについて説明する図である。
このドットパターンでは、片方にしか基準ドットが配置されていないが、このドットパターンを所定の間隔を空けて複数配置すると、上下左右に基準ドットが配置され、見かけ上基準ドットが上下左右対称であると、ドットパターンの向きを認識することが困難となる。したがって、左右（または上下）が非対称とすることにより、ドットパターンの向きを判別することができるようにした。  
図３８は、図３４のドットパターンの基準ドットの配置を変えた例であり、仮想基準線上に配置された基準ドットが所定方向にずれて配置されて、ドットパターンの向きが定義されたドットパターンについて説明する図である。
基準ドットのずれにより、ドットパターンの向きを定義することができる。図３８では、ドットパターンの四隅に配置された基準ドットが上側にずれていることから、ドットパターンの向きが認識できる。なお、上側に基準ドットをずらして配置した場合、ドットパターンの向きを上下左右にするかは設計事項である。
図３９は、図３５のドットパターンの基準ドットの配置を変えた例であり、仮想基準線上に配置された基準ドットが所定方向にずれて配置されて、ドットパターンの向きが定義されたドットパターンについて説明する図である。
このドットパターンでは、片方にしか基準ドットが配置されていないが、このドットパターンを所定の間隔を空けて複数配置すると、上下左右に基準ドットが配置され、見かけ上基準ドットが上下左右対称であると、ドットパターンの向きを認識することが困難となる。そこで、基準ドットのずれにより、ドットパターンの向きを定義することができる。図３９では、左端の上から３番目に配置された基準ドットが右側にずれていることから、ドットパターンが右向きであることが認識できる。なお、右側に基準ドットをずらして配置した場合、ドットパターンの向きを上下左右にするかは設計事項である。
図４０は、上下端の行と左右端の列に配置された始点情報ドットと終点情報ドットが行または列に直交する方向において所定の形状で配置された基準ドットとなっているドットパターンについて説明する図である。なお、基準ドットを除く情報ドットは、行方向かつ列方向において隣接して配置された情報ドット間の距離の値に基づいてコードが符号化され、基準ドットの配置形状によってドットパターンの向きが定義される。
ここで、ドットパターンの向きは基準ドットの全部または一部の配置により所定の形状が表されることにより定義されることが好ましい。この形状は予めパターンとして設計されたものであればどのような形状でもよいが、形状が基準ドットの両端を中心にして１８０度回転しても回転前の形状とならない非軸対象を呈していればその形状自体からドットパターンの向きが定義可能である。ただし、複数のドットパターンを連結して配置する際に、基準ドットの配置形状が帯状の情報ドットの配置形状と区別できるような配置が望ましい。
図４１は、上端の行と左端の列に配置された始点情報ドットと終点情報ドットが行または列に直交する方向において所定の形状で配置された基準ドットとなっているドットパターンについて説明する図である。なお、基準ドットを配置するのは下端の行と右端の列でもよい。すなわち、上下の端部のいずれかの行と左右の端部のいずれかの列を、基準ドットを配置する行と列とすればよい。基準ドットを除く情報ドットは、行方向かつ列方向において隣接して配置された情報ドット間の距離の値に基づいてコードが符号化され、基準ドットの配置形状によってドットパターンの向きが定義される。
このドットパターンでは、片方にしか基準ドットが配置されていないが、このドットパターンを所定の間隔を空けて複数配置すると、上下左右に基準ドットが配置され、見かけ上基準ドットが上下左右対称であると、ドットパターンの向きを認識することが困難となる。そこで、ドットパターンの向きは基準ドットの全部または一部の配置により所定の形状が表されることにより定義されることが好ましい。この形状は予めパターンとして設計されたものであればどのような形状でもよいが、形状が基準ドットの両端を中心にして１８０度回転しても回転前の形状とならない非軸対象を呈していればその形状自体からドットパターンの向きが定義可能である。ただし、複数のドットパターンを連接して配置する際に、基準ドットの配置形状が帯状の情報ドットの配置形状と区別できるような配置が望ましい。
図４２は、図４０のドットパターンで、行または列に直交する方向の所定の形状で配置された位置の外側に共有する位置に、基準ドットが配置されたドットパターンについて説明する図である。
このように、基準ドットが直線上ではなく、所定の形状をもって配置されている場合であっても、基準ドットが配置される行方向と列方向が交差する位置に、さらに基準ドットを配置することが可能である。これにより、ドットパターンを複数連接または連結して配置した際に、ドットの抜けがなく均一にドットが配置され、視覚効果を向上できる。
図４３、図４４は、図４１のドットパターンで、行または列に直交する方向の所定の形状で配置された位置の外側に共有する位置に、基準ドットが配置されたドットパターンについて説明する図である。
このように、基準ドットが直線上ではなく、所定の形状をもって配置されている場合であっても、基準ドットが配置される行方向と列方向が交差する位置に、さらに基準ドットを配置することが可能である。これにより、ドットパターンを複数連接して配置した際に、ドットの抜けがなく均一にドットが配置され、視覚効果を向上できる。
なお、図４４は、情報ドットが有する所定方向間の距離に基づいてコードを符号化する場合について説明する図である。
コードの符号化に用いられる各行および各列について、各行、各列はそれぞれの始点情報ドットが有する所定方向で所定方向間の距離を求めるが、同図では行方向および列方向の所定方向はそれぞれ一定である。
図４５、図４６、図４７、図４８は、始点情報ドットが有する所定方向の定義の仕方について説明する図である。これらの図では、行方向に隣接して配置された情報ドットが有する所定方向は鉛直方向とし、列方向に隣接して配置された情報ドットが有する所定方向は垂直方向とする。そして、行方向については、隣り合う情報ドットの鉛直線間の距離を求める。列方向については、隣り合う情報ドットの水平線間の距離を求める。
鉛直線および水平線は、設定すること、およびプロセッサによって解析することが容易である。したがって、行方向に隣接した情報ドットについては鉛直方向、列方向に隣接した情報ドットについては水平方向を所定方向とすることにより、プロセッサが、所定方向間の距離を容易に算出することが可能となる。
図４５に示すドットパターンは、図２６のドットパターンである。
図４６に示すドットパターンは、図２８のドットパターンである。
図４７に示すドットパターンは、図３４のドットパターンである。
図４８に示すドットパターンは、図３５のドットパターンである。
図４９および図５０は、情報ドットが有する所定方向の定義の仕方について説明する図である。
本実施例では、行方向または列方向に隣接して配置された情報ドットが有する所定方向は、２個の基準ドットを結ぶ線分の方向とする。
図４９に示すドットパターンは、図４２のドットパターンであり、４行×４列で構成されている。２行目の行方向に隣接して配置された情報ドットが有する所定方向は、右端および左端それぞれの、上から１番目と２番目の基準ドットを結んだ線分と直行する方向に設けられる。３行目の行方向に隣接して配置された情報ドットが有する所定方向は、右端および左端それぞれの、上から２番目と３番目の基準ドットを結んだ線分と直行する方向に設けられる。２列目の列方向に隣接して配置された情報ドットが有する所定方向は、上端および下端それぞれの、左から１番目と２番目の基準ドットを結んだ線分と直行する方向に設けられる。３列目の列方向に隣接して配置された情報ドットが有する所定方向は、上端および下端それぞれの、左から２番目と３番目の基準ドットを結んだ線分と直行する方向に設けられる。
図５０に示すドットパターンは、図４３のドットパターンであり、４行×４列で構成されている。行方向に隣接して配置された情報ドットが有する所定方向は、左端の、上から１番目と３番目の基準ドットを結んだ線分と直行する方向に設けられる。列方向に隣接して配置された情報ドットが有する所定方向は、上端の、左から１番目と３番目の基準ドットを結んだ線分と直行する方向に設けられる。
このように、結ぶ基準ドットは、隣り合った基準ドット同士でなくてもよい。
なお、上述の実施例において、基準ドットにも情報を定義してもよい。すなわち、隣接して配置された基準ドット間の距離または所定方向間の距離値の、長短の順位の順列、長短の順位の組み合わせ、比率の順列、比率の組み合わせ、または絶対値、絶対値の順列、絶対値の組み合わせの、少なくともいずれかにも、数値が定義されている。これにより、連接したドットパターンの境界部分を明確に特定しながらも、ドットパターン中に多くの情報を符号化することが可能となる。
また、図５６のドットパターンによれば、左端の基準ドットは上から（８）、（１０）、（１２）の距離の値の順列を有している。この順列を他のドット間の距離の順列には用いないものとすることにより、左端の基準ドットによりドットパターンの向きと境界を定義することができるものである。
以上のドットパターンを複数並べて配置した場合について下記に説明する。
図３９に示すドットパターンは、図５１のように左右および上下方向に所定の間隔をおいて複数連接されて配置されたものとしてもよい。
また、基準ドットを両端に有するドットパターンであり、図３６、図４２に示すドットパターンは、図５２、図５３のように複数の行の両端および／または列の両端に配置された基準ドットが、互いに同形状で配置されており、互いに同形状で配置された基準ドットが重畳して左右・上下に連結される。
また、図３２に示すドットパターンは、図５４のように前記複数の行の両端および／または列の両端に配置された基準ドットが互いに同形状で配置されており、互いに同形状で配置された基準ドットが重畳して左右または上下方向に複数連結され、その他の方向は所定の間隔をおいて連接されて配置されたものとしてもよい。
ここで、行および列の両端に基準ドットが配置されたドットパターンの生成方法と情報ドット間の所定方向の距離に基づくコードの符号化について図５５を用いて説明する。対象とするドットパターンは、４行×４列で構成されており、左右の列に等間隔に配置された垂直基準ドットのうち２行目の基準ドットを上方向にずらしてドットパターンの向きを定めている。上下の行に配置された水平基準ドットは等間隔で配置されている。その２列目と３列目の基準ドットを上下に繋ぎ第１、第２仮想垂直線とし、左右の列のずらす前の２列目の基準ドットと、３列目の基準ドットを左右に繋ぎ第１、第２仮想水平線とする。
基準ドットの間隔を１０とすると、第１、第２仮想垂直線と第１、第２仮想水平線が交差する４つの点を中心に、図５５（a）のように配置間隔を縦横１として、情報ドットを配置するための５×５の仮想点を配置する。
３つの情報ドット間の所定方向の距離の組み合わせは、合計して３０になるよう設定すると、長短（９,１０,１１）、（９,９,１２）、（８,１１,１１）、（１０,１０,１０）の４つがある。つまり、短い順からの長短の順位（（１）番,（２）番,（３）番）、（（１）番,（１）番,（２）番）、（（１）番,（２）番,（２）番）、（（１）番,（１）番,（１）番）の組み合わせとなる。実際に配置される際は、所定方向の距離の配置の順番は、順列組合せで符号化するコードに基づく。その結果、1つの行または列で１３通りのコードを符号化できることから、全ての行と列で１３４＝２８,５６１通りのコードが定義できる。ここで、異なる所定方向の距離の増加分は、最も短い距離から順に、１０%以上の差異を有して設定されている。これは、印刷のずれ、印刷媒体の歪み、ドットパターン読み取り時のカメラの傾き（３０〜４０度）を考慮し、情報ドット間の距離の値の誤差が５％程度であることを前提に情報ドット間の距離の順位を正確に判断できるよう設定した。これにより、７．５％程度未満であれば、同距離として判定し、同順位であることが認識できる。ただし、最もドットの配置位置の変形に大きく影響するカメラの傾きにおいて、上記誤差はカメラの解像度やレンズの性能により異なるため、使用条件に基づく十分な実証実験を行った上で、誤差を設定する必要がある。
ここで、ドットパターンの向きを特定するための垂直基準ドットの配置は、２行目の基準ドットを上方向に２ずらす。この結果、上から（８,１２,１０）となり、情報ドットの所定方向の距離と同一の値の並びとなるものが無く、この列（８,１２,１０）が垂直基準ドットであることが特定できる。これにより、ドットパターンの領域と向きが特定されることから、水平基準ドットにも、他の３つの情報ドット間の所定方向の距離の順列組み合わせと同じ量のコードを設定できる。この結果、全ての行と列と水平基準ドットで１３５＝３７１,２９３通りのコードが定義できる。
図５５（ｂ）は、実際に情報ドットを配置した例である。先ず、行方向の情報ドット間の所定方向の距離を定めると、５×５の仮想点において、それぞれ垂直方向の５つの仮想点のいずれかに情報ドットが配置されることが定まる。次に、列方向の情報ドット間の所定方向の距離を定めると、先の５つの仮想点のいずれかに情報ドットが配置されることになり、コードを符号化する際に、全ての情報ドットの配置は一意的に定まる。
なお、基準ドット間の距離を１０としたが、どのような数値にしてもよく、基準ドットのずれや情報ドットの配置は基準ドット間の数値を基準に同様な比率で設定すればよい。現行の印刷技術、カメラの精度・性能、撮影領域を勘案すると、６００DPIの印刷精度で、基準ドット間の距離を１０pixelとすればよい。なお、ドットの大きさは１pixelもしくは２×２pixelとすればよい。ドット印刷の際の視覚効果を考えると１pixelがよいが、印刷に大きなばらつきがある場合は２×２pixelとして、認識率を低下させないようにできる。
【００２９】
＜ドットパターンの生成方法とコードの符号化の第1の実施例＞
図５６、図５７は本発明により表現可能なコードの割り当て数を示したものである。
左端の基準ドットは上から（８）、（１０）、（１２）の距離の値の順列を有している。この順列を他のドット間の距離の順列には用いないものとすることにより、左端の基準ドットによりドットパターンの向きと境界を定義することができるものである。
図５７に示すように、情報ドットのみによりコードを表現する場合は１３の４乗、１８５６１通りのコード数が表現でき、基準ドットにより情報を定義する場合を含めると１３の５乗、３７１２９３通りのコード数が表現できる。
図５６と同様の条件により従来技術のドットパターンにより表現できたコード数を説明すると、情報ドットの個数が４個である場合は基準点から８方向のずれによりコードを表現する場合は８の４乗、４０９６通りのコード数であり、８方向のずれと長短２通りの距離によりコードを表現する場合は１６の４乗、６５５３６通りのコード数であったため、本発明によれば同一のドット数により表現可能なコード数が格段に向上した。
＜ドットパターンの生成方法とコードの符号化の第２の実施例＞
以上、基準ドット間の所定方向の距離を基に当該距離の長短の順列組合せでコードを符号化するドットパターンの生成方法では、所定の位置にドットを配置すれば一意的に符号化できる手法を説明したが、下記条件を満足すればドットが配置される位置は少なくとも1以上の候補があり、どのようなアルゴリズムでドットを配置してもよい。このことは、異なるドットの配置であっても、同一のコードを符号化できることであり、コードの解読が困難であり、セキュリティに優れていると言える。
（１）情報ドット間の所定方向の距離が短い方からL1、L2、L3（いずれか２つが同一の距離の場合はL1、L2、３つが同一の距離の場合はL1のみ）とする。
（２）当該距離を基準に次に長い距離はα（α＞１）倍以上延長する。なお、αは各情報ドット間で全て同一にする必要はなく、情報ドット間毎に変化させてもよい。
αL1＜L2、αL2＜L3
（３）ドットパターン読み取り時のカメラが３０〜４０度程度傾いた状態で撮像すると、直線上に等間隔で並ぶ４つの情報ドットの間隔が変形し、位置によって短くなる。さらに、印刷のずれ、印刷媒体の歪みの影響も含めて、その直線上に並ぶ情報ドットの間隔の最大値を基準に誤差による最小値は最大β（１／β＜α、β＜１）倍程度、所定方向の距離が短縮されるとする。
L1＜βL2、L2＜βL3
つまり、L1、L2、L3は、歪みを考慮してもなお、L1＜βL2、L2＜βL3であると判定されるように設定する必要がある。
また、情報ドット間の距離が同一の場合、歪みを考慮してもなお同一であると判定されるように設定する必要がある。
例えば、３つの距離がそれぞれＬ１，Ｌ１，Ｌ２の場合は、
L1＝βL1、L1＜βL2
と判定されるように設定する。
３つの距離がすべて同じL1の場合は、
L1＝βL1
と判定されるように設定する。
（４）情報ドット間の所定方向の距離が短い方から、次に短い距離の情報ドット間の判定を行うための閾値γ（１／β＜γ＜α、γ＞１）を設定する。なお、この閾値γはコードの復号化の際に用いる。
γL1＜L2＜γαL1、γL2＜L3＜γαL2、
情報ドット間の所定方向の距離の最も短いL1と同一の距離として生成されたL1´または2つ目に短いL2と同一の距離として生成されたL2´が同一の距離であることの判定は、
L1とL1´が同一の距離の場合：γL1 ＞L1´
L2とL2´が同一の距離の場合：γL1＜L2＜γαL1かつγL1＜L2´＜γαL1
（５）ここで、カメラが傾いた状態での撮像画像の情報ドットの配置の変形と印刷のずれ、印刷媒体の歪みによる誤差による倍率βに対して、情報ドット間の所定方向の距離を定める際の短い方からの倍率αの決定では、十分な余裕を持って安全率（誤差の増分率に対しての設計増分率）を2倍程度とするのが望ましい。
つまり、
２（１／β−１）＝α−１従って、α＝２／β−１となる。
上記安全率は、カメラをどの程度傾けるか、印刷のずれ、印刷媒体の歪みがどの程度発生するか、も含めて誤認率をどの程度に抑えるかによって定めるものであり、それらを十分に精査して安全率を任意に定めてよい。
（６）（５）においての閾値γは、１／βとαの中間値近傍を取るのが望ましい。つまり、
γ＝１．５／β−０．５とすればよい。なお、この閾値γはコードの復号化の際に用いる。
なお、本説明では、情報ドット間の所定方向の距離に基づいて長短の順位を付け、順列組合せでコードを符号化しているため、距離の比較だけを行っているが、読み取った情報ドット間の所定の距離の数値を特定するための閾値を設定して、所定の距離の数値を求めることにより距離の数値そのものを用いてコードを符号化できる。
この場合、ドットパターン生成時の設定した距離の数値をDとすると、カメラが傾いた状態での撮像画像の情報ドットの配置の変形と印刷のずれ、印刷媒体の歪みによる誤差も考慮し、その際の閾値は、絶対値としてγ1、γ2を設定し、γ1≦D≦γ2よりDを特定できる。なお、この手法を利用して、情報ドット間の所定方向の距離とは異なる基準ドット間の距離を有する基準ドットの検索に用いてもよい。さらに、読み取った情報ドット間の所定の距離の数値と、当該距離の順位を組み合わせて使用することもできる。このことは、異なるドットの配置であっても、同一のコードを符号化できることであり、コードの解読が困難であり、セキュリティ性に優れていると言える。また、距離の数値に製造・出荷日などの変化する情報を割り当て、距離の順位でシリアル番号を与えることにより、高度なトレーサビリティを実現できる。なお、距離の数値と距離の順位の組み合わせに割り当てる情報を逆にしてもよいことは言うまでもない。
以上、情報ドット間の所定方向の距離の長短の順列組合せでコードを符号化するドットパターンの生成方法とコードの符号化について説明したが、上記（１）〜（６）の符号化の条件は、情報ドット間の距離の長短の順列組合せでコードを符号化するドットパターンにおいても適用できる。
＜情報ドット間の所定方向の距離に基づき生成したドットパターンの読み取り方法とコードの復号化＞
以上から、光学読み取り装置によるドットパターンの読み取りは、
（１）撮像したドットパターン画像の二値化を行い、ドットを構成する画素を特定する。
（２）ドットを構成する画素の座標値からドットの代表点を求める。単純に画素のXY座標値をそれぞれ加算し、当該ドットを構成する画素の個数で除することによりドットの中心座標値（平均座標値）を求め代表点の座標値としてもよい。または、代表点の座標値をさらに正確に求めるために、（１）で二値化をする際に、その暗さのレベルで画素ごとに重み付けをして上記方法でドットの代表点の座標値を求めてもよい。
（３）ドットの座標値から、直線上に並ぶ第1のドットの並びを探し、その第1のドットの並びに交差して直線上に並ぶ第2のドットの並びを探す。なお、上記の交差では通常は直交しているが、光学読み取り装置を紙面に対して傾けてドットパターンを撮像した場合には直交が維持されないため、所定の範囲の角度で交差することを考慮し、第2のドットの並びを探さなければならない。
（４）第1または第2のドットの並びから、ドットパターンの向きを特定する基準ドットの並びを探す。検索の方法は基準ドット間の距離をDn（nはどの基準ドット間を示すかの番号）とし、絶対値として閾値nγ1、nγ2を設定し、nγ1≦D≦nγ2よりDnを特定して、基準ドットの並びを探す。
（５）第1または第2のドットの並びのいずれかで、ドットパターンの向きを特定する基準ドットの並びが特定でき、他方の基準ドットの並びも条件に合致していれば、次の処理を実行するが、そうでなければ、（３）から再度の処理を行い、他の第1または第2のドットの並びを探す。
（６）ドットパターンの向きが特定されることにより、行方向・列方向の情報ドットの配置が分かり、行方向・列方向において、始点情報ドットである基準ドットからの各情報ドット間の所定方向の距離の順位を前述の比較演算式により算定する。ここで、算定には矩形に配置された基準ドットで囲まれている領域が必ずしも必要ではなく、図５８の破線枠内で示すように、左右・上下の基準ドットの並びが□形状の他、＋形状やH形状、エ形状に配置されていてもよい。なぜなら、必要な行方向・列方向の各情報ドット間が漏れなく算定領域に含まれていれば、各情報ドット間の所定方向の距離の順位が同様に算定できるからである。つまり、算定領域には、上下の行の情報ドット同士と左右の列の情報ドット同士が同一の情報ドットが配置されていればよい。当然、これらの配置でドットパターンの生成を行ってもよい。なお、図５８は情報ドット間の距離で生成したドットパターンの実施例であるが、情報ドット間の所定方向の距離で生成したドットパターンでも同様であることは言うまでもない。
（７）行方向・列方向の情報ドットの所定方向の距離の長短の順位を基に図５７に示すような復号化テーブルや関数を用いて、コードに復号化する。コードは、少なくとも１つのコード値を示してもよいし、座標値であってもよい。もちろん、コード値と座標値が含まれていてもよい。座標値はXY座標値、XYZ座標値など、様々な座標系に基づく座標値であってよい。
なお、図５９および図６０の破線で示した領域は、ドットパターンを読み取る際の情報ドットが位置する最大の領域であり、印刷のずれ、印刷媒体の歪み、ドットパターン読み取り時のカメラの傾き（３０〜４０度）によるドットの配置の変形を考慮した領域となっている。本領域は、それぞれの基準ドットから情報ドットまでの所定方向の距離Lは、
L／γ≦L≦γLとなり、ここで、＜ドットパターンの生成方法とコードの符号化の第２の実施例＞の（３）による誤差がβ＝0.95であれば、＜同第２の実施例＞の（６）より、閾値γ＝1.079となり、それぞれの基準ドットから、8／1.079≒7.4〜1.079×12＝12.9までとなり、12.9−7.4＝5.5より5.5×5.5の領域内に情報ドットが位置する。従って、この領域内に位置するドットのみを情報ドットとして対象とすればよく、ごみやインクの飛散による誤ドットを相当程度排除できる。
以上、情報ドット間の所定方向の距離の長短の順列組合せでコードを復号化するドットパターンの読み取方法とコードの復号化について説明したが、上記（１）〜（７）の読み取方法とコードの復号化は、情報ドット間の距離の長短の順列組合せでコードを復号化するドットパターンにおいても適用できる。
【００３０】
＜キャリブレーションの説明＞
図６１〜６４は、情報入力補助シート７００（グリッドシート）を用いる際に行なうキャリブレーション（ｃａｌｉｂｒａｔｉｏｎ）について説明する図である。
ユーザが媒体７３０であるディスプレイ７３１または印刷媒体７３２（印刷物）をタッチした際に、タッチ位置に対応する処理を正確に反映されるためには、ディスプレイ７３１または印刷媒体７３２（印刷物）と、情報入力補助シート７００（グリッドシート）との位置関係を一致させる必要がある。そこで、ディスプレイ７３１または印刷媒体７３２（印刷物）の座標系と情報入力補助シート７００（グリッドシート）の座標系を適正に関連づけるためのキャリブレーションを行う。
図６１〜６２は、ディスプレイ７３１の表示画面上でキャリブレーションを行なう場合について説明した図である。
図６１は、情報入力補助シート７００（グリッドシート）にキャリブレーション用マーク７１０を設けた場合について説明する図である。
図６１（ａ）に示すように、情報入力補助シート７００（グリッドシート）の一面側の四隅近傍には、キャリブレーション用マーク７１０が設けられている。なお、キャリブレーション用マーク７１０は、必ずしも四隅近傍に設けられている必要はなく、２以上の隅角部に設けられていればよく、あるいは、所定の２か所以上の位置に設けられていてもよい。
所定の４か所の情報入力補助シート７００（グリッドシート）の座標系におけるマーク位置のドット座標値（xmi、ymi）に、ディスプレイ７３１の表示画像データの座標系におけるカーソル位置の座標値（Xci、Yci）を合致させることにより、様々な手法でキャリブレーションを実施できる。例えば、平面射影変換法では、グリッドシートの座標系における光学読み取り装置７４０（スキャナ）のタッチ位置のドット座標値（xt、yt）は下式で示す変換式でディスプレイの表示画像データの座標系における座標値（Xt、Yt）が求まる。なお、ディスプレイの表示画像データの座標系とは、ディスプレイ上の実寸の座標系ではなく、ディスプレイに画像を表示させるための画像記憶媒体（フレームバッファ）における座標系である。
Xt=(axt+bytc)／(gxt+hyt+1)
Yt=(dxt+eytf)／(gxt+hyt+1)
なお、キャリブレーションにより、４か所のマーク位置（xmi、ymi, i=1〜４）とカーソル位置（Xci、Yci、i=1〜４）が定まることから、それぞれを代入して８元連立方程式を解いて、a〜hを求めればよい。その他、所定の３か所以上の位置でのキャリブレーションでは、アフィン変換式やヘルマート変換式を用いることができる。なお、これらのキャリブレーション法のいずれも、図６１〜６６に示すキャリブレーションに適用できることはいうまでもない。
図６１（ｂ）に示すように、ユーザは、キャリブレーション用マーク７１０にカーソルを移動し、マウスを左クリックする。パーソナルコンピュータの中央処理装置は、クリックされた位置を認識する。そして、ディスプレイ７３１の座標系と情報入力補助シート７００（グリッドシート）の座標系とを適正に関連付ける。これによりキャリブレーションが行なわれる。
図６１においては、キャリブレーション用マーク７１０は、脱着可能な透明シール７２０に形成されている。ユーザは、キャリブレーション終了後に、図６１（ｃ）に示すように、シールを情報入力補助シート７００（グリッドシート）から剥離する。
なお、キャリブレーション用マーク７１０は、透明シール７２０に形成されている場合の他、情報入力補助シート７００（グリッドシート）に直接印刷されていてもよい。また、情報入力補助シート７００（グリッドシート）上に除去可能な状態で設けられており、キャリブレーション終了後に情報入力補助シート７００（グリッドシート）上から除去されるようにしてもよい。
図６２は、ディスプレイ７３１の表示画面にキャリブレーション用マーク７１０が表示される場合について説明した図である。
図６２（ａ）に示すように、ディスプレイ７３１の四隅近傍には、キャリブレーション用マーク７１０が表示されている。なお、キャリブレーション用マーク７１０は、必ずしも四隅近傍に表示させる必要はなく、２以上の隅角部に表示させればよく、あるいは、所定の２か所以上の位置に表示させてもよい。
ユーザは、図６２（ｃ）に示す如く、キャリブレーション用マーク７１０が表示されている位置の情報入力補助シート７００（グリッドシート）をタッチする。光学読み取り装置７４０（スキャナ）は、情報入力補助シート７００（グリッドシート）上のドットパターンを読み込んで、パーソナルコンピュータ（ＰＣ）に送信する。パーソナルコンピュータ（ＰＣ）の中央処理装置は、送信されたドットパターンからタッチ位置のドットＸＹ座標（Ｘ１，Ｙ１）を認識し、ディスプレイ７３１の座標系と情報入力補助シート７００（グリッドシート）の座標系を適正に関連づけるためのキャリブレーションを行う。
なお、キャリブレーション終了後は、キャリブレーション用マーク７１０が表示されなくなるようにするのが望ましい。
図６３〜６４は、印刷媒体７３２（印刷物）に対してキャリブレーションを行なう場合について説明した図である。
図６３は、印刷媒体７３２（印刷物）と、印刷媒体７３２（印刷物）用の情報入力補助シート７００（グリッドシート）の両方にキャリブレーション用マーク７１０を設けた場合について説明した図である。
図６３（ａ）に示すように、情報入力補助シート７００（グリッドシート）および印刷媒体７３２（印刷物）の四隅近傍には、それぞれキャリブレーション用マーク７１０が印刷されている。なお、キャリブレーション用マーク７１０は、必ずしも四隅近傍に印刷されている必要はなく、２以上の隅角部に印刷されていればよい。あるいは、所定の２か所以上の位置に印刷されてもよい。
ユーザは、図６３（ｂ）に示すように、双方のキャリブレーション用マーク７１０を合致させて、情報入力補助シート７００（グリッドシート）を印刷媒体７３２（印刷物）上に被せる。これにより、印刷媒体７３２（印刷物）の座標系と情報入力補助シート７００（グリッドシート）の座標系を適正に関連づけるためのキャリブレーションが行なわれる。
図６４は、印刷媒体７３２（印刷物）にのみキャリブレーション用マーク７１０が印刷されている場合について説明した図である。
図６４（ａ）に示すように、印刷媒体７３２（印刷物）の四隅近傍には、それぞれキャリブレーション用マーク７１０が印刷されている。なお、キャリブレーション用マーク７１０は、必ずしも四隅近傍に印刷されている必要はなく、２以上の隅角部に印刷されていればよい。あるいは、所定の２か所以上の位置に印刷されてもよい。
ユーザは、情報入力補助シート７００（グリッドシート）を印刷媒体７３２（印刷物）上に被せる。そして、図６４（ｂ）に示すように、光学読み取り装置７４０（スキャナ）を前記マークに合致させる。光学読み取り装置７４０（スキャナ）は、情報入力補助シート７００（グリッドシート）上のドットパターンを読み込み、パーソナルコンピュータ（ＰＣ）に送信する。パーソナルコンピュータ（ＰＣ）の中央処理装置は、送信されたドットパターンからタッチ位置の座標値（x1，y1）を認識し、印刷媒体７３２（印刷物）の座標系と情報入力補助シート７００（グリッドシート）の座標系を適正に関連づけるためのキャリブレーションを行う。
このようなキャリブレーションを行なうことにより、情報入力補助シート７００（グリッドシート）の座標位置と、ディスプレイ７３１または印刷媒体７３２（印刷物）の画像との位置関係が一致し、ユーザがタッチした画像や文字に対応した情報の出力が正確に行なわれるようになる。
なお、上述した各実施形態において、表示画面等に情報入力補助シート７００（グリッドシート）を用いる場合、粘着剤によって貼付して用いるほか、表示画面上部から情報入力補助シート７００（グリッドシート）を掛けて用いる等、他の方法によって用いてもよい。
＜キャリブレーション用マークが１個の場合について＞
上述のキャリブレーション方法では、キャリブレーション用マークが２個以上必要であった。
しかし、キャリブレーション用マークが１個のみであっても、キャリブレーションを行うことができる。以下、図６５〜６６を用いて説明する。
グリッドシートの座標系におけるグリッドシート上の単位長さ当たりのドット座標値とディスプレイ７３１の表示画像データの座標系におけるディスプレイ上の単位長さ当たりの座標値または印刷媒体７３２（印刷物）の印刷データの座標系における印刷媒体上の単位長さ当たりの座標値を、予め情報処理装置の記憶手段に記憶させておく。さらに、光学読み取り装置７４０（スキャナ）でキャリブレーション用マークにタッチする際に所定の軸回転方向でタッチする。これにより、キャリブレーション用マークが１個であっても、キャリブレーションを実行することが可能となる。
図６５（ａ）では、キャリブレーション用マークは、ディスプレイの所定の位置（図では中央）に設けられる。図６５（ｂ）では、キャリブレーション用マークは、印刷物の所定の位置（図では右下）に設けられる。ユーザは、光学読み取り装置で、キャリブレーション用マークをタッチする。光学読み取り装置をタッチした際の所定の軸回転方向からのグリッドシートの回転角（つまりディスプレイに対するグリッドシートの回転角）を求めて、キャリブレーションを行うことが可能である。
ここで、グリッドシートの座標系におけるタッチ位置のドット座標値（xt、yt）を、座標変換してディスプレイの表示画像データの座標系における対応する座標値（Xt、Yt）を求める式を誘導する。
グリッドシート上の単位長さ当たりのドット座標値をΔx、Δy、ディスプレイ上の単位長さ当たりの座標値をΔX、ΔYとすると、それぞれの座標軸の歪係数は、
αx＝ΔX／Δx、αy=ΔY／Δyとなる。なお、各軸の歪率が同一であれば、αx＝αyとなる。
光学読み取り装置の軸回転方向をディスプレイの上向きに合致させ、キャリブレーション用マークをグリッドシートの上からタッチした場合において、ディスプレイの表示画像データの座標系におけるキャリブレーション用マークの座標値を（Xm、Ym）、グリッドシートにおけるタッチ位置のドット座標値を（xm、ym）、その際の光学読み取り装置に対するグリッドシートの回転角θmとすると、
【００３１】
【数１】
2015087776.tif 000003
となり、キャリブレーション用マークが１個のみの場合の座標変換式が求まる。この座標変換は、グリッドシートを印刷媒体７３２（印刷物）上に配置する場合も同様に使用できる。  
グリッドシートに比べて大きなディスプレイや印刷物に配置して使用する場合、ディスプレイや印刷物の隅角部にキャリブレーション用マークが配置されると、グリッドシートを隅角部すべてに配置できず、正確にキャリブレーションができないという問題が生じる。
キャリブレーション用マークを１個とし、かつ、上式を用いれば、ディスプレイや印刷物に比べてグリッドシートが小さい場合であっても、正確にキャリブレーションを行うことができる。
＜その他のキャリブレーション方法＞
図６６は、キャリブレーションのさらに他の方法について説明する図である。
所定の軸回転方向に合致しないで光学読み取り装置でキャリブレーション用マークをタッチすると、正確なキャリブレーションを実施できない。その場合、ディスプレイまたは印刷媒体にキャリブレーション用マークを水平方向または垂直方向に２個配置して、下式によりディスプレイまたは印刷媒体に対するグリッドシートの傾きを求め、その傾きをθmとして前述の変換式で座標変換を実施すれば正確なキャリブレーションが行える。図６６（ａ）は、ディスプレイにキャリブレーション用マークを垂直方向に２個配置した場合、（ｂ）は、印刷媒体にキャリブレーション用マークを水平方向に２個配置した場合について示している。
所定の2か所の情報入力補助シート７００（グリッドシート）の座標系におけるマーク位置のドット座標値（xm1、ym1）、（xm2、ym2）、ディスプレイ７３１の表示画像データの座標系におけるカーソル位置の座標値（Xc1、Yc1）、（Xc2、Yc2）とすると、
θm＝(ym2−ym1）／(xm2−xm1）
2か所のマーク位置が水平に配置された場合は、αx＝(Xc2−Xc1）／(xm2−xm1）
2か所のマーク位置が垂直に配置された場合は、αy＝(Yc2−Yc1）／(ym2−ym1）
ここで、なお、各軸の歪率が同一であれば、αx＝αy＝αとなることから、
【００３２】
【数２】
2015087776.tif 000004
となり、キャリブレーション用マークが２個の場合の座標変換式が求まる。この座標変換は、グリッドシートを印刷媒体７３２（印刷物）上に配置する場合も同様に使用できる。
なお、上式でαx≠αyなど、歪率が不明な場合については、本座標変換式で使用するグリッドシート上の単位長さ当たりのドット座標値Δxおよび／またはΔyは、グリッドシートに座標値と共に定義されたコード値に直接定義または、コード値に対応する情報として予め記憶媒体に記録しておいてもよいことはいうまでもない。
【００３３】
＜実施の形態の補足的な説明＞
上記実施の形態は、以下の技術思想を包含するものである。
（１）少なくとも可視光および赤外線を透過する透明シートに、光学読み取り装置で接触または離反して読み取られるドットパターンが形成され、所定の媒体面上または該媒体面近傍に貼付または配置される情報入力補助シートであって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散特性または該赤外線拡散反射特性および可視光透過特性を有するインクで印刷された、情報入力補助シート。
（２）前記赤外線照射手段から照射される前記所定波長領域の赤外線を吸収するとともに可視光を透過する赤外線吸収層が前記透明シートのドットパターン読み取り面の反対面に形成された、前記（１）記載の情報入力補助シート。
（３）前記ドットパターンは前記透明シートのドットパターン読み取り面に形成され、該透明シートは前記赤外線吸収層を含む、前記（２）記載の情報入力補助シート。
（４）前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、前記（１）記載の情報入力補助シート。
（５）前記ドットパターンは前記透明シートのドットパターン読み取り面に形成され、該透明シートは前記光波長変換層を含む、前記（４）記載の情報入力補助シート。
（６）前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔が前記透明シートのドットパターン読み取り面の反対面に形成された、前記（１）記載の情報入力補助シート。
（７）前記ドットパターンは前記透明シートのドットパターン読み取り面に形成され、該透明シートは前記所定の厚みを有する透明体を兼ねる、前記（６）記載の情報入力補助シート。
（８）前記光学読み取り装置は光量制御手段をさらに備え、前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、前記（１）記載の情報入力補助シート。
（９）前記透明シートのドットパターン読み取り面の反対面に少なくとも可視光を投影可能なスクリーンが貼付され、該ドットパターン形成面に向けてプロジェクタで画像が投影される、前記（１）〜（８）のいずれか一つに記載の情報入力補助シート。
（１０）前記（１）に記載の前記所定の媒体は印刷媒体またはディスプレイまたは透明媒体である、前記（１）〜（８）のいずれか一つに記載の情報入力補助シート。
（１１）前記透明シートのドットパターン読み取り面に少なくとも可視光および赤外線を透過する保護層が形成された、前記（１）〜（１０）のいずれか一つに記載の情報入力補助シート。
（１２）前記ドットパターンは、前記透明シートのドットパターン読み取り面の反対面に形成され、該透明シートを保護層として兼用する、前記（１）〜（５）、（７）〜（１０）のいずれか一つに記載の情報入力補助シート。
（１３）前記ドットパターンには座標値または座標値およびコード値が符号化され、該座標値により前記光学読み取り装置によりドットパターンを読み取った位置が認識される、前記（１）〜（１２）のいずれか一つに記載の情報入力補助シート。
（１４）前記光学読み取り装置で読み取った前記座標値または前記コード値の少なくとも一部に定義されたインデックスにより、分類または唯一に特定される、前記（１３）記載の情報入力補助シート。
（１５）前記赤外線吸収層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（２）に記載の情報入力補助シート。
（１６）前記光波長変換層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（４）に記載の情報入力補助シート。
（１７）前記赤外線減衰層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（６）に記載の情報入力補助シート。
（１８）前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、前記（１５）〜（１７）のいずれか一つに記載の情報入力補助シート。
（１９）前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、前記（１５）〜（１７）のいずれか一つに記載の情報入力補助シート。
（２０）前記透明シートのドットパターン読み取り面の反対面に、さらに反対面側のドットパターンが形成された情報入力補助シートであって、前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、前記（３）、（５）、（７）のいずれか一つに記載の情報入力補助シート。
（２１）前記反対面側のドットパターンは、前記（１）に記載の第１のドットパターンと異なるドットコードが符号化された、前記（２０）に記載の情報入力補助シート。
（２２）前記第１のドットパターンと前記反対面側のドットパターンとが形成されたそれぞれの面に、該ドットパターンを保護する保護層が形成された、前記（２０）または前記（２１）に記載の情報入力補助シート。
（２３）前記ドットパターンのドットは、波長が異なる複数種類の前記所定波長領域における赤外線拡散特性または該赤外線拡散反射特性および可視光透過特性を有するインクで印刷された、前記（１）〜前記（２２）のいずれか一つに記載の情報入力補助シート。
（２４）前記ドットパターンが形成される所定位置に、所定の規則に基づいて前記インクで印刷するドットが配置された、前記（２３）に記載の情報入力補助シート。
（２５）前記照射手段は、前記波長が異なる複数種類の赤外線を照射し、前記フィルターは、少なくとも前記波長が異なる複数種類の赤外線を透過させ、かつ可視光を遮断し、  前記撮像手段は、少なくとも前記波長が異なる複数種類の赤外線を撮像する、前記（２３）または前記（２４）のいずれかに記載の情報入力補助シート。
（２６）所定の媒体面上または該媒体面近傍に貼付または配置された前記（１）〜（２５）のいずれか一つに記載の情報入力補助シートに接触または離反して、該情報入力補助シートに形成されたドットパターンを読み取る光学読み取り装置であって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散特性または該赤外線拡散反射特性および可視光透過特性を有するインクで印刷された、ドットコード光学読み取り装置。
（２７）復号化された前記ドットコードまたは該ドットコードに対応する命令および／またはデータを情報処理装置に送信する送信手段を、さらに備えた、前記（２６）記載の光学読み取り装置。
（２８）復号化された前記ドットコードまたは該ドットコードに対応する命令および／またはデータに対応する情報を出力する出力手段を、さらに備えた、前記（２６）または前記（２７）のいずれかに記載の光学読み取り装置。
（２９）前記赤外線照射手段より照射し、前記ドットから反射され前記撮像手段で撮像された、ドットパターン画像の所定領域の赤外線の明度を測定し、該明度が所定範囲になるよう、該赤外線照射手段から照射する赤外線を制御する光量制御手段を、さらに備えた、前記（２６）〜（２８）のいずれか一つに記載の光学読み取り装置。
（３０）前記赤外線照射手段により照射し、前記ドットから反射され前記撮像手段で撮像された、ドットパターン画像の所定領域の赤外線の明度を測定し、該明度が所定範囲になるよう、該ドットパターン画像のゲインを調整するゲイン調整手段を、さらに備えた、前記（２６）〜（２８）のいずれか一つに記載の光学読み取り装置。
（３１）所定の媒体面上または該媒体面近傍に貼付または配置された前記（１）〜（１４）のいずれかに記載の情報入力補助シートと、前記情報入力補助シートに接触または離反して、該情報入力補助シートに形成されたドットパターンを読み取る前記（２６）〜（３０）のいずれか一つに記載の光学読み取り装置と、からなる、ドットコード情報処理システム。
（３２）前記（２７）に記載の出力手段で送信される復号化された前記ドットコードまたは該ドットコードに対応する命令および／またはデータを受信して、対応する処理を行う情報処理装置をさらに加えた、前記（３１）に記載のドットコード情報処理システム。
（３３）ディスプレイの表示画面上に配置される前記（１）〜（２５）のいずれか一つに記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、前記光学読み取り装置は、前記情報処理装置に接続されており、前記情報処理装置は、前記ディスプレイの２以上の隅角部および／または中央にキャリブレーション用マークを少なくとも一時的に表示させ、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
（３４）印刷媒体の印刷面上に配置して使用される、前記（１）〜（２５）のいずれか一つに記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、前記光学読み取り装置は、前記情報処理装置に接続されており、前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、前記印刷媒体の２以上の隅角部には、キャリブレーション用マークが印刷されており、前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。
【符号の説明】
【００３４】
＜第１の実施の形態＞
１０  情報入力補助シート
２０  媒体
２１  ディスプレイ７３１
２２  透明媒体
２３  印刷媒体
３０  ドットパターン
３１  ドット
４０  光学読み取り装置
４１  赤外線照射手段（ＩＲ−ＬＥＤ）
４２  フィルター（ＩＲフィルター）
４３  撮像手段（Ｃ−ＭＯＳセンサー）
５０  ＰＣ
５１  情報処理装置
５２  復号化手段
５３  光量制御手段
６３  キャリブレーション手段
７０  透明シート
８０  送信手段
８１  出力手段
＜第２の実施の形態＞
１００  保護層
１１０  保護層兼用透明シート（第１）
＜第３の実施の形態＞
２００  赤外線吸収層兼用透明シート
２１０  赤外線吸収層
＜第４の実施の形態＞
３００  光波長変換層兼用透明シート
３１０  光波長変換層
＜第５の実施の形態＞
４００  赤外線減衰層兼用透明シート
４１０  赤外線減衰層
＜第６の実施の形態＞
５００  第２の保護層兼用透明シート
５１０  第２のドットパターン
５１１  第２のドット
＜キャリブレーションの実施の形態＞
７００  情報入力補助シート（グリッドシート）
７１０  キャリブレーション用マーク
７２０  透明シール
７３０  媒体
７３１  ディスプレイ
７３２  印刷媒体（印刷物）
７４０  光学読み取り装置（スキャナ）
【図１】
2015087776.tif 000005
【図２】
2015087776.tif 000006
【図３】
2015087776.tif 000007
【図４】
2015087776.tif 000008
【図５】
2015087776.tif 000009
【図６】
2015087776.tif 000010
【図７】
2015087776.tif 000011
【図８】
2015087776.tif 000012
【図９】
2015087776.tif 000013
【図１０】
2015087776.tif 000014
【図１１】
2015087776.tif 000015
【図１２】
2015087776.tif 000016
【図１３】
2015087776.tif 000017
【図１４】
2015087776.tif 000018
【図１５】
2015087776.tif 000019
【図１６】
2015087776.tif 000020
【図１７】
2015087776.tif 000021
【図１８】
2015087776.tif 000022
【図１９】
2015087776.tif 000023
【図２０】
2015087776.tif 000024
【図２１】
2015087776.tif 000025
【図２２】
2015087776.tif 000026
【図２３】
2015087776.tif 000027
【図２４】
2015087776.tif 000028
【図２５】
2015087776.tif 000029
【図２６】
2015087776.tif 000030
【図２７】
2015087776.tif 000031
【図２８】
2015087776.tif 000032
【図２９】
2015087776.tif 000033
【図３０】
2015087776.tif 000034
【図３１】
2015087776.tif 000035
【図３２】
2015087776.tif 000036
【図３３】
2015087776.tif 000037
【図３４】
2015087776.tif 000038
【図３５】
2015087776.tif 000039
【図３６】
2015087776.tif 000040
【図３７】
2015087776.tif 000041
【図３８】
2015087776.tif 000042
【図３９】
2015087776.tif 000043
【図４０】
2015087776.tif 000044
【図４１】
2015087776.tif 000045
【図４２】
2015087776.tif 000046
【図４３】
2015087776.tif 000047
【図４４】
2015087776.tif 000048
【図４５】
2015087776.tif 000049
【図４６】
2015087776.tif 000050
【図４７】
2015087776.tif 000051
【図４８】
2015087776.tif 000052
【図４９】
2015087776.tif 000053
【図５０】
2015087776.tif 000054
【図５１】
2015087776.tif 000055
【図５２】
2015087776.tif 000056
【図５３】
2015087776.tif 000057
【図５４】
2015087776.tif 000058
【図５５】
2015087776.tif 000059
【図５６】
2015087776.tif 000060
【図５７】
2015087776.tif 000061
【図５８】
2015087776.tif 000062
【図５９】
2015087776.tif 000063
【図６０】
2015087776.tif 000064
【図６１】
2015087776.tif 000065
【図６２】
2015087776.tif 000066
【図６３】
2015087776.tif 000067
【図６４】
2015087776.tif 000068
【図６５】
2015087776.tif 000069
【図６６】
2015087776.tif 000070
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性および可視光透過特性を有するインクで印刷された、情報入力補助シート。
【請求項２】
前記赤外線照射手段から照射される前記所定波長領域の赤外線を吸収するとともに可視光を透過する赤外線吸収層が前記透明シートのドットパターン読み取り面の反対面に形成された、請求項１記載の情報入力補助シート。
【請求項３】
前記ドットパターンは前記透明シートのドットパターン読み取り面に形成され、該透明シートは前記赤外線吸収層を含む、請求項２記載の情報入力補助シート。
【請求項４】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性を有するインクで印刷されており、
前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、情報入力補助シート。
【請求項５】
前記ドットパターンは前記透明シートのドットパターン読み取り面に形成され、該透明シートは前記光波長変換層を含む、請求項４記載の情報入力補助シート。
【請求項６】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性を有するインクで印刷されており、
前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔、のいずれかである赤外線減衰層が前記透明シートのドットパターン読み取り面の反対面に形成された、情報入力補助シート。
【請求項７】
前記ドットパターンは前記透明シートのドットパターン読み取り面に形成され、該透明シートは前記所定の厚みを有する透明体を兼ねる、請求項６記載の情報入力補助シート。
【請求項８】
前記光学読み取り装置は光量制御手段をさらに備え、
前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、請求項１、４、６のいずれかに記載の情報入力補助シート。
【請求項９】
前記透明シートのドットパターン読み取り面の反対面に少なくとも可視光を投影可能なスクリーンが貼付され、該ドットパターン形成面に向けてプロジェクタで画像が投影される、請求項１〜８のいずれか１項に記載の情報入力補助シート。
【請求項１０】
前記所定の媒体は印刷媒体またはディスプレイまたは透明媒体である、請求項１〜８のいずれか１項に記載の情報入力補助シート。
【請求項１１】
前記透明シートのドットパターン読み取り面に少なくとも可視光および赤外線を透過する保護層が形成された、請求項１〜１０のいずれか１項に記載の情報入力補助シート。
【請求項１２】
前記ドットパターンは、前記透明シートのドットパターン読み取り面の反対面に形成され、該透明シートを保護層として兼用する、請求項１〜１０のいずれか１項に記載の情報入力補助シート。
【請求項１３】
前記ドットパターンには座標値または座標値およびコード値が符号化され、該座標値により前記光学読み取り装置によりドットパターンを読み取った位置が認識される、請求項１〜１２のいずれか１項に記載の情報入力補助シート。
【請求項１４】
前記赤外線吸収層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項２に記載の情報入力補助シート。
【請求項１５】
前記光波長変換層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項４に記載の情報入力補助シート。
【請求項１６】
前記赤外線減衰層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項６に記載の情報入力補助シート。
【請求項１７】
前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、請求項１４〜１６のいずれか１項に記載の情報入力補助シート。
【請求項１８】
前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、請求項１４〜１６のいずれか１項に記載の情報入力補助シート。
【請求項１９】
前記透明シートのドットパターン読み取り面の反対面に、さらに反対面側のドットパターンが形成された情報入力補助シートであって、
前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、請求項３、５、７のいずれか１項に記載の情報入力補助シート。
【請求項２０】
前記反対面側のドットパターンは、請求項１に記載の第１のドットパターンと異なるドットコードが符号化された、請求項１９に記載の情報入力補助シート。
【請求項２１】
前記第１のドットパターンと前記反対面側のドットパターンとが形成されたそれぞれの面に、該ドットパターンを保護する保護層が形成された、請求項１９または請求項２０に記載の情報入力補助シート。
【請求項２２】
前記ドットパターンのドットは、波長が異なる複数種類の前記所定波長領域における赤外線拡散特性または該赤外線拡散反射特性および可視光透過特性を有するインクで印刷された、請求項１〜請求項２１のいずれか１項に記載の情報入力補助シート。
【請求項２３】
前記ドットパターンが形成される所定位置に、所定の規則に基づいて前記インクで印刷するドットが配置された、請求項２２に記載の情報入力補助シート。
【請求項２４】
前記照射手段は、前記波長が異なる複数種類の赤外線を照射し、
前記フィルターは、少なくとも前記波長が異なる複数種類の赤外線を透過させ、かつ可視光を遮断し、
前記撮像手段は、少なくとも前記波長が異なる複数種類の赤外線を撮像する、請求項２２または請求項２３のいずれかに記載の情報入力補助シート。
【請求項２５】
所定の媒体面上または該媒体面近傍に貼付または配置された請求項１〜２４のいずれか１項に記載の情報入力補助シートに接触または離反して、該情報入力補助シートに形成されたドットパターンを読み取る光学読み取り装置であって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに少なくとも前記所定波長領域における赤外線拡散特性または該赤外線拡散反射特性および可視光透過特性を有するインクで印刷された、ドットコード光学読み取り装置。
【請求項２６】
復号化された前記ドットコードまたは該ドットコードに対応する命令および／またはデータを情報処理装置に送信する送信手段を、さらに備えた、請求項２５記載の光学読み取り装置。
【請求項２７】
復号化された前記ドットコードまたは該ドットコードに対応する命令および／またはデータに対応する情報を出力する出力手段を、さらに備えた、請求項２５または請求項２６に記載の光学読み取り装置。
【請求項２８】
前記赤外線照射手段より照射し、前記ドットから反射され前記撮像手段で撮像された、ドットパターン画像の所定領域の赤外線の明度を測定し、該明度が所定範囲になるよう、該赤外線照射手段から照射する赤外線を制御する光量制御手段を、さらに備えた、請求項２５〜２７のいずれか１項に記載の光学読み取り装置。
【請求項２９】
前記赤外線照射手段により照射し、前記ドットから反射され前記撮像手段で撮像された、ドットパターン画像の所定領域の赤外線の明度を測定し、該明度が所定範囲になるよう、該ドットパターン画像のゲインを調整するゲイン調整手段を、さらに備えた、請求項２５〜２７のいずれか１項に記載の光学読み取り装置。
【請求項３０】
所定の媒体面上または該媒体面近傍に貼付または配置された請求項１〜２４のいずれかに記載の情報入力補助シートと、
前記情報入力補助シートに接触または離反して、該情報入力補助シートに形成されたドットパターンを読み取る請求項２５〜２９のいずれか１項に記載の光学読み取り装置と、からなる、ドットコード情報処理システム。
【請求項３１】
復号化された前記ドットコードまたは該ドットコードに対応する命令および／またはデータを情報処理装置に送信する送信手段で送信される復号化された前記ドットコードまたは該ドットコードに対応する命令および／またはデータを受信して、対応する処理を行う情報処理装置をさらに加えた、請求項３０に記載のドットコード情報処理システム。
【請求項３２】
ディスプレイの表示画面上に配置される請求項１〜２４のいずれか１項に記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、
前記光学読み取り装置は、前記情報処理装置に接続されており、
前記情報処理装置は、前記ディスプレイの２以上の隅角部および／または中央に、キャリブレーション用マークを少なくとも一時的に表示させ、
前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
【請求項３３】
印刷媒体の印刷面上に配置して使用される、請求項１〜２４のいずれか１項に記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、
前記光学読み取り装置は、前記情報処理装置に接続されており、
前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、
前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに、少なくとも、前記所定波長領域における赤外線拡散反射特性を有するインクで印刷されており、
前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、情報入力補助シート。
【請求項２】
前記ドットパターンは前記透明シートのドットパターン読み取り面に形成され、該透明シートは前記光波長変換層を含む、請求項１記載の情報入力補助シート。
【請求項３】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに、少なくとも、前記所定波長領域における赤外線拡散反射特性を有するインクで印刷されており、
前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔、のいずれかである赤外線減衰層が前記透明シートのドットパターン読み取り面の反対面に形成された、情報入力補助シート。
【請求項４】
前記ドットパターンは前記透明シートのドットパターン読み取り面に形成され、該透明シートは前記所定の厚みを有する透明体を兼ねる、請求項３記載の情報入力補助シート。
【請求項５】
前記光学読み取り装置は光量制御手段をさらに備え、
前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、請求項１または３に記載の情報入力補助シート。
【請求項６】
前記透明シートのドットパターン読み取り面の反対面に少なくとも可視光を投影可能なスクリーンが貼付され、該ドットパターン形成面に向けてプロジェクタで画像が投影される、請求項１〜５のいずれか１項に記載の情報入力補助シート。
【請求項７】
前記所定の媒体は印刷媒体またはディスプレイまたは透明媒体である、請求項１〜５のいずれか１項に記載の情報入力補助シート。
【請求項８】
前記透明シートのドットパターン読み取り面に少なくとも可視光および赤外線を透過する保護層が形成された、請求項１〜７のいずれか１項に記載の情報入力補助シート。
【請求項９】
前記ドットパターンは、前記透明シートのドットパターン読み取り面の反対面に形成され、該透明シートを保護層として兼用する、請求項１〜７のいずれか１項に記載の情報入力補助シート。
【請求項１０】
前記ドットパターンには座標値または座標値およびコード値が符号化され、該座標値により前記光学読み取り装置によりドットパターンを読み取った位置が認識される、請求項１〜９のいずれか１項に記載の情報入力補助シート。
【請求項１１】
前記光波長変換層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項１に記載の情報入力補助シート。
【請求項１２】
前記赤外線減衰層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項３に記載の情報入力補助シート。
【請求項１３】
前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、請求項１１または１２に記載の情報入力補助シート。
【請求項１４】
前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、請求項１１または１２に記載の情報入力補助シート。
【請求項１５】
前記透明シートのドットパターン読み取り面の反対面に、さらに反対面側のドットパターンが形成された情報入力補助シートであって、
前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、請求項２または４に記載の情報入力補助シート。
【請求項１６】
前記反対面側のドットパターンは、請求項１または３に記載の第１のドットパターンと異なるドットコードが符号化された、請求項１５に記載の情報入力補助シート。
【請求項１７】
前記第１のドットパターンと前記反対面側のドットパターンとが形成されたそれぞれの面に、該ドットパターンを保護する保護層が形成された、請求項１５または請求項１６に記載の情報入力補助シート。
【請求項１８】
前記ドットパターンのドットは、少なくとも、波長が異なる複数種類の前記所定波長領域における赤外線拡散反射特性を有するインクで印刷された、請求項１〜請求項１７のいずれか１項に記載の情報入力補助シート。
【請求項１９】
前記ドットパターンが形成される所定位置に、所定の規則に基づいて前記インクで印刷するドットが配置された、請求項１８に記載の情報入力補助シート。
【請求項２０】
前記照射手段は、前記波長が異なる複数種類の赤外線を照射し、
前記フィルターは、少なくとも前記波長が異なる複数種類の赤外線を透過させ、かつ可視光を遮断し、
前記撮像手段は、少なくとも前記波長が異なる複数種類の赤外線を撮像する、請求項１８または請求項１９のいずれかに記載の情報入力補助シート。
【請求項２１】
所定の媒体面上または該媒体面近傍に貼付または配置された請求項１〜２０のいずれかに記載の情報入力補助シートと、
所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記情報入力補助シートに接触または離反して、該情報入力補助シートに形成されたドットパターンを読み取る光学読み取り装置と、からなる、ドットコード情報処理システム。
【請求項２２】
復号化された前記ドットコードまたは該ドットコードに対応する命令および／またはデータを情報処理装置に送信する送信手段で送信される復号化された前記ドットコードまたは該ドットコードに対応する命令および／またはデータを受信して、対応する処理を行う情報処理装置をさらに加えた、請求項２１に記載のドットコード情報処理システム。
【請求項２３】
ディスプレイの表示画面上に配置される請求項１〜２０のいずれか１項に記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、
前記光学読み取り装置は、前記情報処理装置に接続されており、
前記情報処理装置は、前記ディスプレイの２以上の隅角部および／または中央に、キャリブレーション用マークを少なくとも一時的に表示させ、
前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
【請求項２４】
印刷媒体の印刷面上に配置して使用される、請求項１〜２０のいずれか１項に記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、
前記光学読み取り装置は、前記情報処理装置に接続されており、
前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、
前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。
【手続補正３】
【補正対象書類名】明細書
【補正対象項目名】０００５
【補正方法】変更
【補正の内容】
【０００５】
（１）上記課題を解決するために、情報入力補助シートは、少なくとも可視光および赤外線を透過する透明シートに、光学読み取り装置で接触または離反して読み取られるドットパターンが形成され、所定の媒体面上または該媒体面近傍に貼付または配置される情報入力補助シートであって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに、少なくとも、前記所定波長領域における赤外線拡散反射特性を有するインクで印刷されており、前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、ことを特徴とする。
（２）さらに、情報入力補助シートは、前記ドットパターンが前記透明シートのドットパターン読み取り面に形成され、該透明シートは前記光波長変換層を含む、ことを特徴とする。
（３）上記課題を解決するために、情報入力補助シートは、少なくとも可視光および赤外線を透過する透明シートに、光学読み取り装置で接触または離反して読み取られるドットパターンが形成され、所定の媒体面上または該媒体面近傍に貼付または配置される情報入力補助シートであって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに、少なくとも、前記所定波長領域における赤外線拡散反射特性を有するインクで印刷されており、前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔、のいずれかである赤外線減衰層が前記透明シートのドットパターン読み取り面の反対面に形成された、ことを特徴とする。
（４）さらに、情報入力補助シートは、前記ドットパターンが前記透明シートのドットパターン読み取り面に形成され、該透明シートは前記所定の厚みを有する透明体を兼ねる、ことを特徴とする。
（５）さらに、情報入力補助シートは、前記光学読み取り装置は光量制御手段をさらに備え、前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、ことを特徴とする。
（６）さらに、情報入力補助シートは、前記透明シートのドットパターン読み取り面の反対面に少なくとも可視光を投影可能なスクリーンが貼付され、該ドットパターン形成面に向けてプロジェクタで画像が投影される、ことを特徴とする。
（７）さらに、情報入力補助シートは、前述した前記所定の媒体が印刷媒体またはディスプレイまたは透明媒体である、ことを特徴とする。
（８）さらに、情報入力補助シートは、前記透明シートのドットパターン読み取り面に少なくとも可視光および赤外線を透過する保護層が形成された、ことを特徴とする。
（９）さらに、情報入力補助シートは、前記ドットパターンが、前記透明シートのドットパターン読み取り面の反対面に形成され、該透明シートを保護層として兼用する、ことを特徴とする。
（１０）さらに、情報入力補助シートは、前記ドットパターンに座標値または座標値およびコード値が符号化され、該座標値により前記光学読み取り装置によりドットパターンを読み取った位置が認識される、ことを特徴とする。
（１１）さらに、情報入力補助シートは、前記光波長変換層が形成された面に、さらに第２のドットパターンが形成された第２の透明シートが貼付された情報入力補助シートであって、  前記第２の透明シートをドットパターン読み取り面にして、所定の媒体面上または該媒体面近傍に貼付または配置し、前記光学読み取り装置で接触または離反して前記第２のドットパターンが読み取られる、ことを特徴とする。
（１２）さらに、情報入力補助シートは、前記赤外線減衰層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、ことを特徴とする。
（１３）さらに、情報入力補助シートは、前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、ことを特徴とする。
（１４）さらに、情報入力補助シートは、前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、ことを特徴とする。
（１５）さらに、情報入力補助シートは、前記透明シートのドットパターン読み取り面の反対面に、さらに反対面側のドットパターンが形成された情報入力補助シートであって、前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、ことを特徴とする。
（１６）さらに、情報入力補助シートは、前記反対面側のドットパターンが、前述した第１のドットパターンと異なるドットコードが符号化された、ことを特徴とする。
（１７）さらに、情報入力補助シートは、前記第１のドットパターンと前記反対面側のドットパターンとが形成されたそれぞれの面に、該ドットパターンを保護する保護層が形成された、ことを特徴とする。
（１８）さらに、情報入力補助シートは、前記ドットパターンのドットは、少なくとも、波長が異なる複数種類の前記所定波長領域における赤外線拡散反射特性を有するインクで印刷された、ことを特徴とする。
（１９）さらに、情報入力補助シートは、前記ドットパターンが形成される所定位置に、所定の規則に基づいて前記インクで印刷するドットが配置された、ことを特徴とする。
（２０）情報入力補助シートは、前記照射手段が、前記波長が異なる複数種類の赤外線を照射し、前記フィルターは、少なくとも前記波長が異なる複数種類の赤外線を透過させ、かつ可視光を遮断し、前記撮像手段は、少なくとも前記波長が異なる複数種類の赤外線を撮像する、ことを特徴とする。
（２１）一方、ドットコード情報処理システムは、所定の媒体面上または該媒体面近傍に貼付または配置された前述した情報入力補助シートと、前記情報入力補助シートに接触または離反して、該情報入力補助シートに形成されたドットパターンを読み取る前述した光学読み取り装置と、からなる、ことを特徴とする。
（２２）さらに、ドットコード情報処理システムは、前述した出力手段で送信される復号化された前記ドットコードまたは該ドットコードに対応する命令および／またはデータを受信して、対応する処理を行う情報処理装置をさらに加えた、ことを特徴とする。
（２３）一方、キャリブレーション方法は、ディスプレイの表示画面上に配置される前述した情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、前記光学読み取り装置は、前記情報処理装置に接続されており、前記情報処理装置は、前記ディスプレイの２以上の隅角部および／または中央に、キャリブレーション用マークを少なくとも一時的に表示させ、  前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記ディスプレイの座標値に変換して入力する、ことを特徴とする。
（２４）また、キャリブレーション方法は、印刷媒体の印刷面上に配置して使用される、前述した情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、前記光学読み取り装置は、前記情報処理装置に接続されており、前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記印刷媒体の座標値に変換して入力する、ことを特徴とする。
【手続補正４】
【補正対象書類名】明細書
【補正対象項目名】００１０
【補正方法】変更
【補正の内容】
【００１０】
＜図１の情報入力補助シート１０＞
情報入力補助シート１０は、図１に示すように、次の構成を備える。
（１）透明シート
透明シートは、少なくとも可視光および赤外線を透過するものである。
（２）ドットパターン３０（ドット３１）
ドットパターン３０は、透明シートに形成され、光学読み取り装置４０で接触または離反して読み取られるものである。
ドットパターン３０については、図１１〜２２を用いて後述するが、ドット３１から構成されている。
ドット３１は、透明シートに少なくとも赤外線照射手段４１から照射された所定波長領域における赤外線拡散反射特性または該赤外線拡散反射特性および可視光透過特性（透明インク）を有するインクで印刷されている。ドット３１は、透明インクであることが最も望ましいがコストが高い。そこで、ドットサイズをできるだけ小さくすれば目立たなくなる。現行の一般的な印刷機の精度（６００dpi〜１２００dpi程度）よび撮影解像度（１６０pixel〜２４０pixel程度）を考慮して、具体的にはドットが印刷された状態で０．０３〜０．０６mm程度の径にすれば、殆ど目立たない。なお、透明シートをディスプレイ２１に貼付する場合では、後方から強い光が発光されるため、ドット印刷に使用するインクの色も白や明度の高い色にすれば、さらに目立たなくなる。
ドット３１の印刷面は、透明シートのドットパターン読み取り面側、すなわち図１において向かって右側に位置する。なお、透明シートを保護層として兼用する場合は、透明シートのドットパターン読み取り面の反対側をドット３１の印刷面としてもよい。その際は、ドットパターンを左右反転させて印刷する。
【手続補正５】
【補正対象書類名】明細書
【補正対象項目名】００３３
【補正方法】変更
【補正の内容】
【００３３】
＜実施の形態の補足的な説明＞
上記実施の形態は、以下の技術思想を包含するものである。
（１）少なくとも可視光および赤外線を透過する透明シートに、光学読み取り装置で接触または離反して読み取られるドットパターンが形成され、所定の媒体面上または該媒体面近傍に貼付または配置される情報入力補助シートであって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散反射特性または該赤外線拡散反射特性および可視光透過特性を有するインクで印刷された、情報入力補助シート。
（２）前記赤外線照射手段から照射される前記所定波長領域の赤外線を吸収するとともに可視光を透過する赤外線吸収層が前記透明シートのドットパターン読み取り面の反対面に形成された、前記（１）記載の情報入力補助シート。
（３）前記ドットパターンは前記透明シートのドットパターン読み取り面に形成され、該透明シートは前記赤外線吸収層を含む、前記（２）記載の情報入力補助シート。
（４）前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、前記（１）記載の情報入力補助シート。
（５）前記ドットパターンは前記透明シートのドットパターン読み取り面に形成され、該透明シートは前記光波長変換層を含む、前記（４）記載の情報入力補助シート。
（６）前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔が前記透明シートのドットパターン読み取り面の反対面に形成された、前記（１）記載の情報入力補助シート。
（７）前記ドットパターンは前記透明シートのドットパターン読み取り面に形成され、該透明シートは前記所定の厚みを有する透明体を兼ねる、前記（６）記載の情報入力補助シート。
（８）前記光学読み取り装置は光量制御手段をさらに備え、前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、前記（１）記載の情報入力補助シート。
（９）前記透明シートのドットパターン読み取り面の反対面に少なくとも可視光を投影可能なスクリーンが貼付され、該ドットパターン形成面に向けてプロジェクタで画像が投影される、前記（１）〜（８）のいずれか一つに記載の情報入力補助シート。
（１０）前記（１）に記載の前記所定の媒体は印刷媒体またはディスプレイまたは透明媒体である、前記（１）〜（８）のいずれか一つに記載の情報入力補助シート。
（１１）前記透明シートのドットパターン読み取り面に少なくとも可視光および赤外線を透過する保護層が形成された、前記（１）〜（１０）のいずれか一つに記載の情報入力補助シート。
（１２）前記ドットパターンは、前記透明シートのドットパターン読み取り面の反対面に形成され、該透明シートを保護層として兼用する、前記（１）〜（５）、（７）〜（１０）のいずれか一つに記載の情報入力補助シート。
（１３）前記ドットパターンには座標値または座標値およびコード値が符号化され、該座標値により前記光学読み取り装置によりドットパターンを読み取った位置が認識される、前記（１）〜（１２）のいずれか一つに記載の情報入力補助シート。
（１４）前記光学読み取り装置で読み取った前記座標値または前記コード値の少なくとも一部に定義されたインデックスにより、分類または唯一に特定される、前記（１３）記載の情報入力補助シート。
（１５）前記赤外線吸収層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（２）に記載の情報入力補助シート。
（１６）前記光波長変換層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（４）に記載の情報入力補助シート。
（１７）前記赤外線減衰層が形成された面に、さらに第２のドットパターンが形成された第２の透明シートが貼付された情報入力補助シートであって、前記第２の透明シートをドットパターン読み取り面にして、所定の媒体面上または該媒体面近傍に貼付または配置し、前記光学読み取り装置で接触または離反して前記第２のドットパターンが読み取られる、前記（６）に記載の情報入力補助シート。
（１８）前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、前記（１５）〜（１７）のいずれか一つに記載の情報入力補助シート。
（１９）前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、前記（１５）〜（１７）のいずれか一つに記載の情報入力補助シート。
（２０）前記透明シートのドットパターン読み取り面の反対面に、さらに反対面側のドットパターンが形成された情報入力補助シートであって、前記反対面側のドットパターンが形成された面をドットパターン読み取り面にして、所定の媒体面上または該媒体面近傍に貼付または配置し、前記光学読み取り装置で接触または離反して前記反対面側のドットパターンが読み取られる、前記（３）、（５）、（７）のいずれか一つに記載の情報入力補助シート。
（２１）前記反対面側のドットパターンは、前記（１）に記載の第１のドットパターンと異なるドットコードが符号化された、前記（２０）に記載の情報入力補助シート。
（２２）前記第１のドットパターンと前記反対面側のドットパターンとが形成されたそれぞれの面に、該ドットパターンを保護する保護層が形成された、前記（２０）または前記（２１）に記載の情報入力補助シート。
（２３）前記ドットパターンのドットは、波長が異なる複数種類の前記所定波長領域における赤外線拡散反射特性または該赤外線拡散反射特性および可視光透過特性を有するインクで印刷された、前記（１）〜前記（２２）のいずれか一つに記載の情報入力補助シート。
（２４）前記ドットパターンが形成される所定位置に、所定の規則に基づいて前記インクで印刷するドットが配置された、前記（２３）に記載の情報入力補助シート。
（２５）前記照射手段は、前記波長が異なる複数種類の赤外線を照射し、前記フィルターは、少なくとも前記波長が異なる複数種類の赤外線を透過させ、かつ可視光を遮断し、  前記撮像手段は、少なくとも前記波長が異なる複数種類の赤外線を撮像する、前記（２３）または前記（２４）のいずれかに記載の情報入力補助シート。
（２６）所定の媒体面上または該媒体面近傍に貼付または配置された前記（１）〜（２５）のいずれか一つに記載の情報入力補助シートに接触または離反して、該情報入力補助シートに形成されたドットパターンを読み取る光学読み取り装置であって、前記光学読み取り装置は、所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記ドットパターンのドットは、前記透明シートに少なくとも前記所定波長領域における赤外線拡散反射特性または該赤外線拡散反射特性および可視光透過特性を有するインクで印刷された、ドットコード光学読み取り装置。
（２７）復号化された前記ドットコードまたは該ドットコードに対応する命令および／またはデータを情報処理装置に送信する送信手段を、さらに備えた、前記（２６）記載の光学読み取り装置。
（２８）復号化された前記ドットコードまたは該ドットコードに対応する命令および／またはデータに対応する情報を出力する出力手段を、さらに備えた、前記（２６）または前記（２７）のいずれかに記載の光学読み取り装置。
（２９）前記赤外線照射手段より照射し、前記ドットから反射され前記撮像手段で撮像された、ドットパターン画像の所定領域の赤外線の明度を測定し、該明度が所定範囲になるよう、該赤外線照射手段から照射する赤外線を制御する光量制御手段を、さらに備えた、前記（２６）〜（２８）のいずれか一つに記載の光学読み取り装置。
（３０）前記赤外線照射手段により照射し、前記ドットから反射され前記撮像手段で撮像された、ドットパターン画像の所定領域の赤外線の明度を測定し、該明度が所定範囲になるよう、該ドットパターン画像のゲインを調整するゲイン調整手段を、さらに備えた、前記（２６）〜（２８）のいずれか一つに記載の光学読み取り装置。
（３１）所定の媒体面上または該媒体面近傍に貼付または配置された前記（１）〜（１４）のいずれかに記載の情報入力補助シートと、前記情報入力補助シートに接触または離反して、該情報入力補助シートに形成されたドットパターンを読み取る前記（２６）〜（３０）のいずれか一つに記載の光学読み取り装置と、からなる、ドットコード情報処理システム。
（３２）前記（２７）に記載の出力手段で送信される復号化された前記ドットコードまたは該ドットコードに対応する命令および／またはデータを受信して、対応する処理を行う情報処理装置をさらに加えた、前記（３１）に記載のドットコード情報処理システム。
（３３）ディスプレイの表示画面上に配置される前記（１）〜（２５）のいずれか一つに記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、前記光学読み取り装置は、前記情報処理装置に接続されており、前記情報処理装置は、前記ディスプレイの２以上の隅角部および／または中央にキャリブレーション用マークを少なくとも一時的に表示させ、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
（３４）印刷媒体の印刷面上に配置して使用される、前記（１）〜（２５）のいずれか一つに記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、前記光学読み取り装置は、前記情報処理装置に接続されており、前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、前記印刷媒体の２以上の隅角部には、キャリブレーション用マークが印刷されており、前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに、少なくとも、前記所定波長領域における赤外線拡散反射特性を有するインクで印刷されており、
前記赤外線照射手段から照射される前記所定波長領域の赤外線を前記フィルターで遮断される波長領域に変換するとともに可視光を透過する光波長変換層が、前記透明シートのドットパターン読み取り面の反対面に形成された、情報入力補助シート。
【請求項２】
前記ドットパターンは前記透明シートのドットパターン読み取り面に形成され、該透明シートは前記光波長変換層を含む、請求項１記載の情報入力補助シート。
【請求項３】
少なくとも可視光および赤外線を透過する透明シートに、光学読み取り装置で接触または離反して読み取られるドットパターンが形成され、所定の媒体面上または該媒体面近傍に貼付または配置される情報入力補助シートであって、
前記光学読み取り装置は、
所定波長領域の赤外線を照射する赤外線照射手段と、
少なくとも前記所定波長領域の赤外線を透過させ、かつ可視光を遮断するフィルターと、
少なくとも前記所定波長領域の赤外線を撮像する撮像手段と、
該撮像手段で撮像されたドットパターン画像をドットコードに復号化する復号化手段と、を備え、
前記ドットパターンのドットは、前記透明シートに、少なくとも、前記所定波長領域における赤外線拡散反射特性を有するインクで印刷されており、
前記赤外線照射手段から照射される前記所定波長領域の赤外線を、前記ドットにより拡散反射された赤外線反射光と、該ドットが形成されていない領域を減衰しながら透過する赤外線が少なくとも前記所定の媒体面で反射された赤外線反射光と、を前記撮像手段で撮像されたドットパターン画像のドットを前記復号化手段が識別可能なレベルに、該赤外線が減衰するのに必要な所定の厚さを有する透明体か、または該赤外線が減衰するに必要な所定の間隔を有する減衰間隔、のいずれかである赤外線減衰層が前記透明シートのドットパターン読み取り面の反対面に形成された、情報入力補助シート。
【請求項４】
前記ドットパターンは前記透明シートのドットパターン読み取り面に形成され、該透明シートは前記所定の厚みを有する透明体を兼ねる、請求項３記載の情報入力補助シート。
【請求項５】
前記光学読み取り装置は光量制御手段をさらに備え、
前記透明シートは、前記赤外線照射手段から照射される前記所定波長領域の赤外線を、前記ドットにより拡散反射された赤外線反射光と、該ドットが形成されていない領域を透過する赤外線が前記所定の媒体面で反射された赤外線反射光と、を前記撮像手段で撮像されたドットパターン画像のドットを前記復号化手段が識別可能なレベルに、該赤外線照射手段から照射する赤外線の光量を前記光量制御手段で調整する、請求項１または３に記載の情報入力補助シート。
【請求項６】
前記透明シートのドットパターン読み取り面の反対面に少なくとも可視光を投影可能なスクリーンが貼付され、該ドットパターン形成面に向けてプロジェクタで画像が投影される、請求項１〜５のいずれか１項に記載の情報入力補助シート。
【請求項７】
前記所定の媒体は印刷媒体またはディスプレイまたは透明媒体である、請求項１〜５のいずれか１項に記載の情報入力補助シート。
【請求項８】
前記透明シートのドットパターン読み取り面に少なくとも可視光および赤外線を透過する保護層が形成された、請求項１〜７のいずれか１項に記載の情報入力補助シート。
【請求項９】
前記ドットパターンは、前記透明シートのドットパターン読み取り面の反対面に形成され、該透明シートを保護層として兼用する、請求項１〜７のいずれか１項に記載の情報入力補助シート。
【請求項１０】
前記ドットパターンには座標値または座標値およびコード値が符号化され、該座標値により前記光学読み取り装置によりドットパターンを読み取った位置が認識される、請求項１〜９のいずれか１項に記載の情報入力補助シート。
【請求項１１】
前記光波長変換層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項１に記載の情報入力補助シート。
【請求項１２】
前記赤外線減衰層が形成された面に、さらに第２のドットパターンが形成された第２の透明シートが貼付された情報入力補助シートであって、
前記第２の透明シートをドットパターン読み取り面にして、所定の媒体面上または該媒体面近傍に貼付または配置し、前記光学読み取り装置で接触または離反して前記第２のドットパターンが読み取られる、請求項３に記載の情報入力補助シート。
【請求項１３】
前記透明シートと前記第２の透明シートのうち、少なくとも一方の透明シートに形成された前記ドットパターンまたは前記第２のドットパターンが、該透明シートにおいて前記ドットパターン読み取り面の反対面に形成された、請求項１１または１２に記載の情報入力補助シート。
【請求項１４】
前記透明シートと前記第２の透明シートのうち、少なくとも一方の透明シートに形成された前記ドットパターンまたは前記第２のドットパターンが、前記ドットパターン読み取り面に形成され、該ドットパターン読み取り面には、該ドットパターンを保護する保護層が形成された、請求項１１または１２に記載の情報入力補助シート。
【請求項１５】
前記透明シートのドットパターン読み取り面の反対面に、さらに反対面側のドットパターンが形成された情報入力補助シートであって、
前記反対面側のドットパターンが形成された面が読み取り可能となるように、所定の媒体面上または該媒体面近傍に貼付または配置し、前記光学読み取り装置で接触または離反して前記反対面側のドットパターンが読み取られる、請求項２または４に記載の情報入力補助シート。
【請求項１６】
前記反対面側のドットパターンは、前記ドットパターン読み取り面のドットパターンと異なるドットコードが符号化された、請求項１５に記載の情報入力補助シート。
【請求項１７】
前記ドットパターン読み取り面のドットパターンと前記反対面側のドットパターンとが形成されたそれぞれの面に、該ドットパターンを保護する保護層が形成された、請求項１５または請求項１６に記載の情報入力補助シート。
【請求項１８】
前記ドットパターンのドットは、少なくとも、波長が異なる複数種類の前記所定波長領域における赤外線拡散反射特性を有するインクで印刷された、請求項１〜請求項１７のいずれか１項に記載の情報入力補助シート。
【請求項１９】
前記ドットパターンが形成される所定位置に、所定の規則に基づいて前記インクで印刷するドットが配置された、請求項１８に記載の情報入力補助シート。
【請求項２０】
前記照射手段は、前記波長が異なる複数種類の赤外線を照射し、
前記フィルターは、少なくとも前記波長が異なる複数種類の赤外線を透過させ、かつ可視光を遮断し、
前記撮像手段は、少なくとも前記波長が異なる複数種類の赤外線を撮像する、請求項１８または請求項１９のいずれかに記載の情報入力補助シート。
【請求項２１】
所定の媒体面上または該媒体面近傍に貼付または配置された請求項１〜２０のいずれかに記載の情報入力補助シートと、
所定波長領域の赤外線を照射する赤外線照射手段と、少なくとも前記所定波長領域の赤外線を透過させ、かつ可視光を遮断するフィルターと、少なくとも前記所定波長領域の赤外線を撮像する撮像手段と、該撮像手段で撮像されたドットパターン画像をドットコードに復号化する復号化手段と、を備え、前記情報入力補助シートに接触または離反して、該情報入力補助シートに形成されたドットパターンを読み取る光学読み取り装置と、からなる、ドットコード情報処理システム。
【請求項２２】
復号化された前記ドットコードまたは該ドットコードに対応する命令および／またはデータを情報処理装置に送信する送信手段で送信される復号化された前記ドットコードまたは該ドットコードに対応する命令および／またはデータを受信して、対応する処理を行う情報処理装置をさらに加えた、請求項２１に記載のドットコード情報処理システム。
【請求項２３】
ディスプレイの表示画面上に配置される請求項１〜２０のいずれか１項に記載の情報入力補助シートを、光学読み取り装置で指示することにより、前記ディスプレイの表示画面上の表示物に関連した情報を出力する情報処理装置において、前記光学読み取り装置で指示した前記情報入力補助シート上の位置を、前記ディスプレイの表示画面上の表示物に正しく対応させるキャリブレーション方法であって、
前記光学読み取り装置は、前記情報処理装置に接続されており、
前記情報処理装置は、前記ディスプレイの２以上の隅角部および／または中央に、キャリブレーション用マークを少なくとも一時的に表示させ、
前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記ディスプレイ上の座標値に変換し、この処理を前記ディスプレイに表示されたマークすべてについて行うことにより、前記情報入力補助シートの座標値を前記ディスプレイの座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記ディスプレイの座標値に変換して入力する、キャリブレーション方法。
【請求項２４】
印刷媒体の印刷面上に配置して使用される、請求項１〜２０のいずれか１項に記載の情報入力補助シートを、光学読み取り装置で指示することにより、前記印刷媒体の印刷面上の画像に関連した情報を出力する情報処理装置において、前記光学読み取り装置で指示した前記情報入力補助シート上の位置を、前記印刷媒体の印刷面上の画像に正しく対応させるキャリブレーション方法であって、
前記光学読み取り装置は、前記情報処理装置に接続されており、
前記情報入力補助シートは、前記印刷媒体の印刷面上に被せて使用され、種々のマルチメディア情報出力および／またはオペレーション指示のため、ドットコード生成アルゴリズムにより生成されたドットが所定の規則に則って配置されており、
前記印刷媒体の２以上の隅角部には、キャリブレーション用マークが印刷されており、  前記情報処理装置は、前記光学読み取り装置を前記マークに合致させると、前記光学読み取り装置が前記情報入力補助シート上のドットパターンを読み取ることにより、前記光学読み取り装置によって指示した位置の前記情報入力補助シート上の座標値を検出し、該検出した情報入力補助シート上の座標値を、前記光学読み取り装置を合致させたマークの前記印刷媒体上の座標値に変換し、この処理を前記印刷媒体に印刷されたマークすべてについて行うことにより、前記情報入力補助シートの座標値を前記印刷媒体の座標値に変換する座標変換関数または座標変換テーブルを求め、
前記情報処理装置が、その後に前記光学読み取り装置で読み取られる前記情報入力補助シートの座標値を、前記座標変換関数または座標変換テーブルにより前記印刷媒体の座標値に変換して入力する、キャリブレーション方法。